(57)【要約】  水性ニスを塗布した後の印刷物をスタックする集積部におけるブロッキングの発生を抑制し得る印刷装置、乾燥制御方法、及び乾燥制御装置を提供する。処理液を媒体へ付与する処理液付与部、水性インクを用いて画像を形成する画像形成部（４０）、画像が形成された媒体に乾燥処理を施すインク乾燥部（５０）、乾燥処理が施された媒体に光沢向上剤が添加された定量の水性ニスを付与するニス付与部（６０）、及びインク乾燥部の処理条件を導出するインク乾燥条件導出部（１０８）を備え、インク乾燥条件導出部は、水性ニスの光沢値の増加分を表す光沢増加分に応じて高くしたインク乾燥部の加熱温度の導出、及び光沢増加分に応じて長くしたインク乾燥部の加熱期間の導出の少なくともいずれかを行う。
2018221130.tif 000002
【特許請求の範囲】
【請求項１】
インクに含有される色材成分を凝集、又は不溶化させる処理液を媒体へ付与する処理液付与部と、
前記処理液付与部を用いて処理液が付与された媒体に、水性インクを用いて画像を形成する画像形成部と、
前記画像形成部を用いて画像が形成された媒体に乾燥処理を施すインク乾燥部と、
前記インク乾燥部を用いて乾燥処理が施された媒体に、光沢向上剤が添加された定量の水性ニスを付与するニス付与部と、
前記インク乾燥部の処理条件を導出するインク乾燥条件導出部と、
を備え、
前記インク乾燥条件導出部は、前記光沢向上剤の添加量の増加に応じて増加する前記水性ニスの光沢値の増加分を表す光沢増加分の情報を取得し、前記取得した前記光沢増加分に応じて高くした前記インク乾燥部の加熱温度の導出、及び前記取得した前記光沢増加分に応じて長くした前記インク乾燥部の加熱期間の導出の少なくともいずれかを行う印刷装置。
【請求項２】
前記インク乾燥条件導出部は、インクの粘度をηミリパスカル秒とし、インク乾燥処理の加熱期間をｔ秒として、光沢度計を用いて測定された光沢値から導出した前記光沢増加分が１０を超え１５以下の場合に、インクの粘度ηを満たす温度を前記インク乾燥部の加熱温度として導出し、ｔ≧２．２３５５×ｅ０．２０５６×ηを満たすインク乾燥部の加熱期間ｔを導出する請求項１に記載の印刷装置。
【請求項３】
前記インク乾燥条件導出部は、前記光沢増加分が５を超え１０以下の場合に、インクの粘度ηを満たす温度を前記インク乾燥部の加熱温度として導出し、ｔ≧０．５０９５×ｅ０．３０２８×ηを満たすインク乾燥部の加熱期間ｔを導出する請求項２に記載の印刷装置。
【請求項４】
前記インク乾燥条件導出部は、前記光沢増加分が０を超え５以下の場合に、インクの粘度ηを満たす温度を前記インク乾燥部の加熱温度として導出し、ｔ≧０．３５７８×ｅ０．２１１３×ηを満たすインク乾燥部の加熱期間ｔを導出する請求項２又は３に記載の印刷装置。
【請求項５】
前記インクの粘度ηと前記インク乾燥部の加熱期間ｔとの関係を規定した関数を記憶するテーブル記憶部を備えた請求項２から４のいずれか一項に記載の印刷装置。
【請求項６】
前記インク乾燥条件導出部は、印刷枚数の減少に応じて前記加熱温度を下げて前記インクの粘度ηを大きくするか、又は印刷枚数の減少に応じて短縮した前記加熱期間ｔを導出する請求項２から５のいずれか一項に記載の印刷装置。
【請求項７】
前記印刷枚数の情報を含む印刷情報を取得する印刷情報取得部を備えた請求項６に記載の印刷装置。
【請求項８】
前記インク乾燥条件導出部は、目標とする印刷物の仕上がり光沢値の減少に応じて前記加熱温度を下げて前記インクの粘度ηを大きくするか、又は目標とする印刷物の仕上がり光沢値の減少に応じて短縮した前記加熱期間ｔを導出する請求項２から５のいずれか一項に記載の印刷装置。
【請求項９】
印刷物の前記目標とする仕上がり光沢値の情報を含む印刷情報を取得する印刷情報取得部を備えた請求項８に記載の印刷装置。
【請求項１０】
前記ニス付与部を用いて前記水性ニスが付与された媒体に、ブロッキング抑止効果を持つパウダーを付与するパウダー付与部を備え、
前記インク乾燥条件導出部は、前記パウダー付与部を用いて付与される前記パウダーの付与量の増加に応じて前記加熱温度を下げて前記インクの粘度ηを大きくするか、又は前記パウダーの付与量の増加に応じて短縮された前記加熱期間ｔを導出する請求項２から５のいずれか一項に記載の印刷装置。
【請求項１１】
前記光沢増加分の情報を含むニス情報を取得するニス情報取得部を備えた請求項１から１０のいずれか一項に記載の印刷装置。
【請求項１２】
前記インクの粘度の情報を含むインク情報を取得するインク情報取得部を備え、
前記インク乾燥条件導出部は、インクの粘度と前記インクの粘度を実現する温度との関係を規定したテーブルを用いて、前記インク乾燥部の加熱温度を導出する請求項１から１１のいずれか一項に記載の印刷装置。
【請求項１３】
前記テーブルを記憶するテーブル記憶部を備えた請求項１２に記載の印刷装置。
【請求項１４】
前記テーブル記憶部は、インクの種類に応じた複数の前記テーブルが記憶される請求項１３に記載の印刷装置。
【請求項１５】
前記インク情報取得部は、インクの粘度の情報として、インク溶剤に含まれる水以外の成分物質のうち、最も含有率が高い物質である主溶剤の粘度の情報を取得する請求項１２から１４のいずれか一項に記載の印刷装置。
【請求項１６】
前記インク乾燥条件導出部は、前記インク乾燥部の条件に応じて決められた前記インク乾燥部の加熱温度から実現される前記インクの粘度を導出し、前記導出した前記インクの粘度を用いて前記インク乾燥部の加熱期間を導出する請求項１に記載の印刷装置。
【請求項１７】
前記インク乾燥条件導出部は、前記インク乾燥部の条件に応じて決められた前記インク乾燥部の加熱期間から決められる前記インクの粘度に応じて、前記インク乾燥部の加熱温度を導出する請求項１に記載の印刷装置。
【請求項１８】
前記画像形成部は、インクジェットヘッドを備えた請求項１から１７のいずれか一項に記載の印刷装置。
【請求項１９】
インクに含有される色材成分を凝集、又は不溶化させる処理液を媒体へ付与する処理液付与工程と、
前記処理液付与工程において処理液が付与された媒体に、水性インクを用いて画像を形成する画像形成工程と、
前記画像形成工程において画像が形成された媒体に乾燥処理を施すインク乾燥工程と、
前記インク乾燥工程において乾燥処理が施された媒体に、光沢向上剤が添加された定量の水性ニスを付与するニス付与工程と、
前記インク乾燥工程の処理条件を導出するインク乾燥条件導出工程と、
を含み、
前記インク乾燥条件導出工程は、前記光沢向上剤の添加量の増加に応じて増加する前記水性ニスの光沢値の増加分を表す光沢増加分の情報を取得し、前記取得した前記光沢増加分に応じて高くした前記インク乾燥工程における加熱温度の導出、及び前記取得した前記光沢増加分に応じて長くした前記インク乾燥工程における加熱期間の導出の少なくともいずれかを行う乾燥制御方法。
【請求項２０】
インクに含有される色材成分を凝集、又は不溶化させる処理液が付与され、前記処理液が付与された後に水性インクを用いて画像が形成された媒体に対して、光沢向上剤が添加された定量の水性ニスを付与する前のインク乾燥処理を制御する乾燥制御装置であって、
前記インク乾燥処理の条件を導出するインク乾燥条件導出部を備え、
前記インク乾燥条件導出部は、前記光沢向上剤の添加量の増加に応じて増加する前記水性ニスの光沢値の増加分を表す光沢増加分の情報を取得し、前記取得した前記光沢増加分に応じて高くした前記インク乾燥処理における加熱温度の導出、及び前記取得した前記光沢増加分に応じて長くした前記インク乾燥処理における加熱期間の導出の少なくともいずれかを行う乾燥制御装置。
【発明の詳細な説明】
【技術分野】
【０００１】
本発明は印刷装置、乾燥制御方法、及び乾燥制御装置に係り、特に水性インクを用いて画像が形成された用紙の乾燥処理に関する。
【背景技術】
【０００２】
印刷物の表面加工としてニスコートが知られている。ニスコートはニスを用いて印刷物の画像表面をコーティングする技術である。ニスコートは、例えば、画像の表面に光沢を与えて印刷物に高級感を与えたり、画像表面の耐擦性、及び耐薬品性の少なくともいずれかを向上させたりすることを目的として行われる。【０００３】
特許文献１は、画像形成後の用紙の画像表面に水性ニスを塗布する機能を備えたインクジェット記録装置が記載されている。【０００４】
特許文献２は、画像形成後の用紙に後処理液を付与するインクジェット記録装置が記載されている。特許文献２に記載の後処理液は、画像が形成された印刷物の耐擦過性、及び光沢度、並びに耐水性、耐光性、及び耐ガス性などの保存安定性等を向上させることができる。
【先行技術文献】
【特許文献】
【０００５】
【特許文献１】特開２０１６−１０７４１９号公報
【特許文献２】特開２０１５−１７４３３１号公報
【発明の概要】
【発明が解決しようとする課題】
【０００６】
水性インクを用いて用紙に画像を形成し、その後に画像表面に水性ニスを塗布する場合、水性ニス塗布後の印刷物をスタックする集積部においてブロッキングが発生するという問題がある。【０００７】
ブロッキングの問題は、インクジェット方式を用いて画像を形成する印刷装置に限らず、版を用いて画像を形成する有版式の印刷装置など様々な画像形成方式の印刷装置について共通する課題である。水性インクを用いるインクジェット記録装置は、用紙に付与される水分量が多くなるため、上記の課題が特に顕著である。【０００８】
特許文献１に示されているとおり、ニスコートの方式には、インライン方式、オフライン方式、及びオンライン方式がある。この課題は、インライン塗布方式を用いて水性ニスを塗布する場合に顕著である。【０００９】
特許文献１にはニスの種類に応じて光沢が異なる旨の記載があるものの、高光沢とブロッキング性能との両立に関する言及はない。特許文献１に記載の発明では、ニスの塗布なし、水性ニスの塗布、及びＵＶニスの塗布に応じた乾燥強度の調整をしているが、特許文献１には、同じ種類の水性ニスであり光沢度が異なるニスについての乾燥条件の制御に関する言及はない。【００１０】
特許文献２は、用紙の光沢度に応じて後処理液の付与量を決めること、及び後処理液の付与量に応じてインク、及び後処理液の乾燥強度を決めることを開示しているが、光沢度が違うニスを一定の量で塗布する場合の乾燥条件の制御に関する開示はない。【００１１】
また、特許文献２に記載の発明は、インクと後処理液とを一括して乾燥させているので、後処理液にインクの溶剤が多量に浸透し、ブロッキング性能が顕著に悪化する懸念がある。更に、後処理液の付与量を増加させた場合、後処理液の乾燥強度を強めることになる。そうすると、用紙を集積する集積部における温度が高温度化し、更なるブロッキング性能の悪化が懸念される。【００１２】
本発明はこのような事情に鑑みてなされたもので、水性ニスを塗布した後の印刷物をスタックする集積部におけるブロッキングの発生を抑制し得る印刷装置、乾燥制御方法、及び乾燥制御装置を提供することを目的とする。
【課題を解決するための手段】
【００１３】
上記目的を達成するために、次の発明態様を提供する。【００１４】
第１態様に係る印刷装置は、インクに含有される色材成分を凝集、又は不溶化させる処理液を媒体へ付与する処理液付与部と、処理液付与部を用いて処理液が付与された媒体に、水性インクを用いて画像を形成する画像形成部と、画像形成部を用いて画像が形成された媒体に乾燥処理を施すインク乾燥部と、インク乾燥部を用いて乾燥処理が施された媒体に、光沢向上剤が添加された定量の水性ニスを付与するニス付与部と、インク乾燥部の処理条件を導出するインク乾燥条件導出部と、を備え、インク乾燥条件導出部は、光沢向上剤の添加量の増加に応じて増加する水性ニスの光沢値の増加分を表す光沢増加分の情報を取得し、取得した光沢増加分に応じて高くしたインク乾燥部の加熱温度の導出、及び取得した光沢増加分に応じて長くしたインク乾燥部の加熱期間の導出の少なくともいずれかを行う印刷装置である。【００１５】
第１態様によれば、インクに含有される色材成分を凝集、又は不溶化させる処理液付与した媒体へ水性インクを用いて画像形成を行い、光沢向上剤が添加された定量のニスを付与する場合に、ニスの付与前のインク乾燥処理において、水性ニスの光沢増加分に応じて高くしたインク乾燥処理部の加熱温度の導出、及び水性ニスの光沢増加分に応じて長くしたインク乾燥処理部の加熱期間の導出の少なくともいずれかが行われる。これにより、目標の光沢の確保、及び媒体をスタックする際のブロッキングの抑制の両立が可能となる。【００１６】
光沢値は、光沢度計を用いて測定された測定値を適用し得る。光沢値は、媒体の白地の測定値を適用し得る。光沢値の測定は、予め決められた媒体を用いる態様が好ましい。光沢値は処理液が非付与の媒体を用いて測定してもよい。【００１７】
光沢増加分と光沢向上剤の添加量との関係を準備しておき、光沢向上剤の添加量を用いて光沢増加分を導出してもよい。【００１８】
定量のニスは、光沢向上剤の添加量を増加させた場合に、光沢向上剤の添加量の増加に応じて媒体へのニスの付与量を増加させずに、媒体へのニスの付与量が一定量に保たれていることを表す。【００１９】
光沢増加分に応じて高くしたインク乾燥部の加熱温度の例として、光沢増加分の値が０の場合と比較して、光沢増加分の値が５の場合の加熱温度を高くすること、及び光沢増加分の値が５の場合と比較して、光沢増加分の値が１０の場合の加熱温度を高くすることなどが挙げられる。【００２０】
光沢増加分に応じて長くしたインク乾燥部の加熱期間の一例として、光沢増加分の値が０の場合と比較して、光沢増加分の値が５の場合の加熱期間を長くすること、光沢増加分の値が５の場合と比較して、光沢増加分の値が１０の場合の加熱期間を長くすることなどが挙げられる。【００２１】
第２態様は、第１態様の印刷装置において、インク乾燥条件導出部は、インクの粘度をηミリパスカル秒とし、インク乾燥処理の加熱期間をｔ秒として、光沢度計を用いて測定された光沢値から導出した光沢増加分が１０を超え１５以下の場合に、インクの粘度ηを満たす温度をインク乾燥部の加熱温度として導出し、ｔ≧２．２３５５×ｅ０．２０５６×ηを満たすインク乾燥部の加熱期間ｔを導出する構成としてもよい。【００２２】
第２態様によれば、光沢増加分が１０を超え１５以下の場合について、インクの粘度に応じて加熱温度、及び加熱期間の導出が可能である。【００２３】
光沢増加分は、光沢値の測定値の増加分を適用し得る。光沢値の測定値の単位がグロスユニットの場合、光沢増加分の単位はグロスユニットとなる。【００２４】
第３態様は、第２態様の印刷装置において、インク乾燥条件導出部は、光沢増加分が５を超え１０以下の場合に、インクの粘度ηを満たす温度をインク乾燥部の加熱温度として導出し、ｔ≧０．５０９５×ｅ０．３０２８×ηを満たすインク乾燥部の加熱期間ｔを導出する構成としてもよい。【００２５】
第３態様によれば、光沢増加分が５を超え１０以下の場合について、インクの粘度に応じて加熱温度、及び加熱期間の導出が可能である。【００２６】
第４態様は、第２態様又は第３態様の印刷装置において、インク乾燥条件導出部は、光沢増加分が０を超え５以下の場合に、インクの粘度ηを満たす温度をインク乾燥部の加熱温度として導出し、ｔ≧０．３５７８×ｅ０．２１１３×ηを満たすインク乾燥部の加熱期間ｔを導出する構成としてもよい。【００２７】
第４態様によれば、光沢増加分が０を超え５以下の場合について、インクの粘度に応じて加熱温度、及び加熱期間の導出が可能である。【００２８】
第２態様から第４態様の光沢増加分の例として、光沢度計を用いて測定された光沢値から導出された値が挙げられる。光沢度計を用いて測定された光沢値の単位はグロスユニットである。同様に、光沢度計を用いて測定された光沢値から導出された光沢増加分の単位はグロスユニットである。【００２９】
第５態様は、第２態様から第４態様のいずれか一態様の印刷装置において、インクの粘度ηとインク乾燥部の加熱期間ｔとの関係を規定した関数を記憶するテーブル記憶部を備えた構成としてもよい。【００３０】
第５態様によれば、インクの粘度ηとインク乾燥部の加熱期間ｔとの関係を規定した関数を用いて、インクの粘度ηの情報からインク乾燥部の加熱期間ｔの導出が可能である。【００３１】
第６態様は、第２態様から第５態様のいずれか一態様の印刷装置において、インク乾燥条件導出部は、印刷枚数の減少に応じて加熱温度を下げてインクの粘度ηを大きくするか、又は印刷枚数の減少に応じて短縮した加熱期間ｔを導出する構成としてもよい。【００３２】
第６態様によれば、印刷枚数の減少に応じて、インク乾燥部の処理条件の緩和が可能である。【００３３】
第７態様は、第６態様の印刷装置において、印刷枚数の情報を含む印刷情報を取得する印刷情報取得部を備えた構成としてもよい。【００３４】
第７態様によれば、印刷枚数の情報の取得が可能である。【００３５】
第８態様は、第２態様から第５態様のいずれか一態様の印刷装置において、インク乾燥条件導出部は、目標とする印刷物の仕上がり光沢値の減少に応じて加熱温度を下げてインクの粘度ηを大きくするか、又は目標とする印刷物の仕上がり光沢値の減少に応じて短縮した加熱期間ｔを導出する構成としてもよい。【００３６】
第８態様によれば、目標とする印刷物の仕上がり光沢値の減少に応じて、インク乾燥部の処理条件の緩和が可能である。【００３７】
第９態様は、第８態様の印刷装置において、印刷物の目標とする仕上がり光沢値の情報を含む印刷情報を取得する印刷情報取得部を備えた構成としてもよい。【００３８】
第９態様によれば、印刷物の目標とする仕上がり光沢値の情報の取得が可能である。【００３９】
第１０態様は、第２態様から第５態様のいずれか一態様の印刷装置において、ニス付与部を用いて水性ニスが付与された媒体に、ブロッキング抑止効果を持つパウダーを付与するパウダー付与部を備え、インク乾燥条件導出部は、パウダー付与部を用いて付与されるパウダーの付与量の増加に応じて加熱温度を下げてインクの粘度ηを大きくするか、又はパウダーの付与量の増加に応じて短縮された加熱期間ｔを導出する構成としてもよい。【００４０】
第１０態様によれば、パウダーの付与量の増加に応じて、インク乾燥部の処理条件の緩和が可能である。【００４１】
第１１態様は、第１態様から第１０態様のいずれか一態様の印刷装置において、光沢増加分の情報を含むニス情報を取得するニス情報取得部を備えた構成としてもよい。【００４２】
第１１態様によれば、光沢増加分の情報の取得が可能である。【００４３】
第１２態様は、第１態様から第１１態様のいずれか一態様の印刷装置において、インクの粘度の情報を含むインク情報を取得するインク情報取得部を備え、インク乾燥条件導出部は、インクの粘度とインクの粘度を実現する温度との関係を規定したテーブルを用いて、インク乾燥部の加熱温度を導出する構成としてもよい。【００４４】
第１２態様によれば、インクの粘度に基づいて、インク乾燥処理部の加熱温度の導出が可能である。【００４５】
第１３態様は、第１２態様の印刷装置において、テーブルを記憶するテーブル記憶部を備えた構成としてもよい。【００４６】
第１３態様によれば、インクの粘度とインクの粘度を実現する温度との関係を規定したテーブルの記憶が可能である。【００４７】
第１４態様は、第１３態様の印刷装置において、テーブル記憶部は、インクの種類に応じた複数の前記テーブルが記憶される構成としてもよい。【００４８】
第１４態様によれば、粘度が異なる複数の種類のインクのそれぞれについて、インクの粘度からインク乾燥処理部の加熱温度の導出が可能である。【００４９】
第１５態様は、第１２態様から第１４態様のいずれか一態様の印刷装置において、インク情報取得部は、インクの粘度の情報として、インク溶剤に含まれる水以外の成分物質のうち、最も含有率が高い物質である主溶剤の粘度の情報を取得する構成としてもよい。【００５０】
第１５態様によれば、インクの主溶剤の粘度の情報を用いて、インク乾燥処理部の加熱温度、及び加熱期間の導出が可能である。【００５１】
第１６態様は、第１態様の印刷装置において、インク乾燥条件導出部は、インク乾燥部の条件に応じて決められたインク乾燥部の加熱温度から実現されるインクの粘度を導出し、導出したインクの粘度を用いてインク乾燥部の加熱期間を導出する構成としてもよい。【００５２】
第１６態様によれば、インク乾燥部の条件に応じて決められたインク乾燥部の加熱温度に基づいて、インク乾燥部の加熱期間の導出が可能である。【００５３】
第１７態様は、第１態様の印刷装置において、インク乾燥条件導出部は、インク乾燥部の条件に応じて決められたインク乾燥部の加熱期間から決められるインクの粘度に応じて、インク乾燥部の加熱温度を導出する構成としてもよい。【００５４】
第１７態様によれば、インク乾燥部の条件に応じて決められたインク乾燥部の加熱温度に基づいて、インク乾燥部の加熱期間の導出が可能である。【００５５】
第１８態様は、第１態様から第１７態様のいずれか一態様の印刷装置において、画像形成部は、インクジェットヘッドを備えた構成としてもよい。【００５６】
第１８態様によれば、インクジェット方式の印刷装置において水性ニスが使用される場合に、目標の光沢の確保、及び媒体をスタックする際のブロッキングの抑制の両立が可能となる。【００５７】
第１９態様に係る乾燥制御方法は、インクに含有される色材成分を凝集、又は不溶化させる処理液を媒体へ付与する処理液付与工程と、処理液付与工程において処理液が付与された媒体に、水性インクを用いて画像を形成する画像形成工程と、画像形成工程において画像が形成された媒体に乾燥処理を施すインク乾燥工程と、インク乾燥工程において乾燥処理が施された媒体に、光沢向上剤が添加された定量の水性ニスを付与するニス付与工程と、インク乾燥工程の処理条件を導出するインク乾燥条件導出工程と、を含み、インク乾燥条件導出工程は、光沢向上剤の添加量の増加に応じて増加する水性ニスの光沢値の増加分を表す光沢増加分の情報を取得し、取得した光沢増加分に応じて高くしたインク乾燥工程における加熱温度の導出、及び取得した光沢増加分に応じて長くしたインク乾燥工程における加熱期間の導出の少なくともいずれかを行う乾燥制御方法である。【００５８】
第１９態様によれば、第１態様と同様の効果を得ることができる。【００５９】
第１９態様において、第２態様から第１８態様で特定した事項と同様の事項を適宜組み合わせることができる。その場合、印刷装置において特定される処理や機能を担う構成要素は、これに対応する処理や機能を担う乾燥制御方法の構成要素として把握することができる。【００６０】
第２０態様に係る乾燥制御装置は、インクに含有される色材成分を凝集、又は不溶化させる処理液が付与され、処理液が付与された後に水性インクを用いて画像が形成された媒体に対して、光沢向上剤が添加された定量の水性ニスを付与する前のインク乾燥処理を制御する乾燥制御装置であって、インク乾燥処理の条件を導出するインク乾燥条件導出部を備え、インク乾燥条件導出部は、光沢向上剤の添加量の増加に応じて増加する水性ニスの光沢値の増加分を表す光沢増加分の情報を取得し、取得した光沢増加分に応じて高くしたインク乾燥処理における加熱温度の導出、及び取得した光沢増加分に応じて長くしたインク乾燥処理における加熱期間の導出の少なくともいずれかを行う乾燥制御装置である。【００６１】
第２０態様によれば、第１態様と同様の効果を得ることができる。【００６２】
第２０態様において、第２態様から第１８態様で特定した事項と同様の事項を適宜組み合わせることができる。その場合、印刷装置において特定される処理や機能を担う構成要素は、これに対応する処理や機能を担う乾燥制御装置の構成要素として把握することができる。
【発明の効果】
【００６３】
本発明によれば、インクに含有される色材成分を凝集、又は不溶化させる処理液付与した媒体へ水性インクを用いて画像形成を行い、光沢向上剤が添加された定量のニスを付与する場合に、ニスの付与前のインク乾燥処理において、水性ニスの光沢増加分に応じて高くしたインク乾燥処理部の加熱温度の導出、及び水性ニスの光沢増加分に応じて長くしたインク乾燥処理部の加熱期間の導出の少なくともいずれかが行われる。これにより、目標の光沢の確保、及び媒体をスタックする際のブロッキングの抑制の両立が可能となる。
【図面の簡単な説明】
【００６４】
【図１】図１はインクジェット印刷装置の一例を示す全体構成図である。
【図２】図２はべたつきの挙動を表すグラフである。
【図３】図３は白地光沢とべたつきとの関係を示すグラフである。
【図４】図４は溶剤粘度の温度依存性を示すグラフである。
【図５】図５は光沢増加分が１５の場合の溶剤粘度と加熱期間との関係を示すグラフである。
【図６】図６は光沢増加分が１０の場合の溶剤粘度と加熱期間との関係を示すグラフである。
【図７】図７は光沢増加分が５の場合の溶剤粘度と加熱期間との関係を示すグラフである。
【図８】図８は図５に示したグラフを基に導出したブロッキング性能の境界条件を示すグラフである。
【図９】図９は図６に示したグラフを基に導出したブロッキング性能の境界条件を示すグラフである。
【図１０】図１０は図７に示したグラフを基に導出したブロッキング性能の境界条件を示すグラフである。
【図１１】図１１は図１に示したインクジェット印刷装置における乾燥制御方法を実現するハードウェア構成の構成例を示すブロック図である。
【図１２】図１２は図１１に示した制御装置における処理の例を示すフローチャートである。
【図１３】図１３はインクジェット印刷装置の制御系の概略構成を示すブロック図である。
【図１４】図１４は図１３に示した制御装置が実現する機能のブロック図である。
【図１５】図１５はニスコートを実施する印刷の処理手順を示すフローチャートである。
【発明を実施するための形態】
【００６５】
以下、添付図面に従って本発明の好ましい実施の形態について詳説する。本明細書では、同一の構成要素には同一の参照符号を付して、重複する説明を省略する。
【００６６】
［インクジェット記録装置の説明］
〈全体構成〉
図１は、印刷装置の一例である、インクジェット印刷装置の一例を示す全体構成図である。インクジェット印刷装置１は、インライン方式を適用してニスコートが可能な印刷装置として構成される。インクジェット印刷装置１は、給紙部１０と、処理液塗布部２０と、処理液乾燥部３０と、画像形成部４０と、インク乾燥部５０と、ニス塗布部６０と、ニス後処理部７０と、集積部８０と、を備える。
【００６７】
〈給紙部〉
給紙部１０は、枚葉紙である用紙Ｐを一枚ずつ給紙する。給紙部１０は、給紙装置１１と、フィーダーボード１２と、給紙ドラム１３と、を備える。用紙Ｐは、給紙装置１１の給紙台の上に、用紙束の状態で載置される。用紙Ｐの種類は、特に限定されないが、例えば、上質紙、コート紙、及びアート紙などの汎用の印刷用紙を用いることができる。汎用の印刷用紙とは、いわゆるインクジェット専用紙ではなく、オフセット印刷などの接触式の印刷においても一般的に使用される塗工紙、若しくは非塗工紙をいい、セルロースを主体とした用紙を指す。
【００６８】
給紙装置１１は、給紙台の上に積まれた用紙Ｐを用紙束の上から順に一枚ずつ、一定の給紙期間間隔で引き上げてフィーダーボード１２へと給紙する。フィーダーボード１２は、給紙装置１１から受け取った用紙Ｐを一定の搬送経路に沿って搬送して、給紙ドラム１３に受け渡す。
【００６９】
給紙ドラム１３は、フィーダーボード１２から受け取った用紙Ｐを一定の搬送経路に沿って搬送して、処理液塗布ドラム２１に受け渡す。給紙ドラム１３は、そのドラム周面に図示せぬグリッパーを備える。給紙ドラム１３は、図示せぬグリッパーを用いて用紙Ｐの先端を把持して回転し、用紙Ｐをドラム周面に巻き掛けて搬送する。
【００７０】
〈処理液塗布部〉
処理液塗布部２０は、用紙Ｐに処理液を塗布する。なお、塗布は付与の一例である。本実施形態の処理液は、画像形成部４０において使用されるインク中の色材成分を凝集させる凝集剤を含む液体である。凝集剤としては、インク組成物のペーハーを変化させることができる化合物であってもよいし、多価金属塩であっても、ポリアリルアミン類であってもよい。ペーハーを低下させ得る化合物としては、水溶性の高い酸性物質が好適に挙げられる。酸性物質は、一種単独で用いてもよく、また、二種以上を併用してもよい。ペーハーは、ｐＨ、水素イオン指数、及び水素イオン濃度指数と同義である。
【００７１】
このような処理液を用紙Ｐに塗布して印刷を行う場合、汎用の印刷用紙を使用しても、インクの広がり、及びインクの移動の少なくともいずれか一方が抑制され、高品質な画像の形成が可能になる。処理液は、前処理液、プレコート液、又はプレコンディショニング液などの用語で呼ばれる場合がある。溶剤中に色材成分を溶解させたインクが用いられる場合、溶剤中に溶解した色材成分を不溶化させる処理液が適用される。
【００７２】
処理液塗布部２０は、処理液塗布ドラム２１と、処理液塗布装置２２と、を備える。処理液塗布ドラム２１は、給紙ドラム１３から受け取った用紙Ｐを一定の搬送経路に沿って搬送して、処理液乾燥ドラム３１に受け渡す。処理液塗布ドラム２１は、そのドラム周面に図示せぬグリッパーを備える。処理液塗布ドラム２１は、図示せぬグリッパーを用いて用紙Ｐの先端を把持して回転し、用紙Ｐをドラム周面に巻き掛けて搬送する。処理液塗布部２０は処理液付与部の一例である。
【００７３】
処理液塗布装置２２は、処理液塗布ドラム２１を用いて搬送される用紙Ｐの第一面に処理液を塗布する。用紙Ｐの第一面は、インクを用いて画像が形成される画像形成面に相当する。画像形成面は印刷面と同義である。用紙Ｐの第一面と反対側の面を第二面という。本実施形態の処理液塗布装置２２は、ローラー塗布方式により、処理液を用紙Ｐに塗布する。すなわち、処理液塗布装置２２は、塗布ローラーを含み、周面に処理液が付与された塗布ローラーを用紙Ｐの印刷面に押し当てて、用紙Ｐに処理液を塗布する。なお、処理液塗布装置２２の塗布方式は、特に限定されるものではなく、ローラー塗布方式に代えて、インクジェット方式、又はスプレイ方式などの他の塗布方式を採用してもよい。
【００７４】
〈処理液乾燥部〉
処理液乾燥部３０は、用紙Ｐに塗布された処理液を乾燥させる。処理液乾燥部３０は、処理液乾燥ドラム３１と、第一用紙ガイド３２と、ドライヤー３３と、を備える。
【００７５】
処理液乾燥ドラム３１は、処理液塗布ドラム２１から受け取った用紙Ｐを一定の搬送経路に沿って搬送して、画像形成ドラム４１に受け渡す。処理液乾燥ドラム３１は、そのドラム周面に図示せぬグリッパーを備える。給紙ドラム１３は、図示せぬグリッパーを用いて用紙Ｐの先端を把持して回転し、用紙Ｐをドラム周面に巻き掛けて搬送する。
【００７６】
第一用紙ガイド３２は、処理液乾燥ドラム３１における用紙Ｐの搬送経路に沿って配置され、用紙Ｐの搬送をガイドする。用紙Ｐは、第一用紙ガイド３２の上を摺動しながら搬送される。
【００７７】
ドライヤー３３は、処理液乾燥ドラム３１を用いて搬送される用紙Ｐの第一面に熱風を吹き付けて、処理液が塗布された用紙Ｐの第一面を加熱する。ドライヤー３３は、処理液乾燥ドラム３１の内側に配置される。ドライヤー３３は、例えば、ハロゲンヒーター、又は赤外線ヒーター等の熱源と、その熱源を用いて熱せられた気体を送風する送風手段と、を備える。熱源を用いて熱せられる気体は、例えば空気である。空気に代えて、又は空気に加えて他の気体を用いてもよい。
【００７８】
送風手段として、例えば、ファン若しくはブロアを用いることができる。ドライヤー３３がヒーターと送風手段とを含んで構成される場合、ヒーターの点灯本数、及び点灯デューティー比の少なくともいずれか一方の調整により、加熱強度を制御することができる。
【００７９】
用紙Ｐは、処理液乾燥ドラム３１を用いて搬送される過程で第一面にドライヤー３３からの熱風が吹き付けられる。これにより、用紙Ｐの処理液塗布面である第一面が加熱され、用紙Ｐに塗布された処理液の溶媒成分が乾燥除去される。この結果、用紙Ｐの第一面にインク凝集層が形成される。インク凝集層とは、処理液中に含まれるインク凝集剤の層をいう。処理液乾燥部３０を用いて、処理液中の水分が蒸発し、処理液のインク凝集剤の薄膜層であるインク凝集層が用紙Ｐの第一面に形成される。
【００８０】
〈画像形成部〉
画像形成部４０は、インクジェット方式を用いて用紙Ｐの第一面に画像を形成する。画像形成部４０は、画像形成ドラム４１と、用紙押さえローラー４２と、インクジェットヘッド４３Ｃ、インクジェットヘッド４３Ｍ、インクジェットヘッド４３Ｙ、及びインクジェットヘッド４３Ｋと、スキャナー４４と、を備える。以下、Ｃはシアン、Ｍはマゼンタ、Ｙはイエロー、Ｋはブラックを表すことがある。
【００８１】
画像形成ドラム４１は、処理液乾燥ドラム３１から用紙Ｐを受け取り、受け取った用紙Ｐを一定の搬送経路に沿って搬送し、第一チェーンデリバリー５１に受け渡す。画像形成ドラム４１は、周面に備えられた図示せぬグリッパーを用いて用紙Ｐの先端を把持して回転し、用紙Ｐを周面に巻き付けて搬送する。
【００８２】
画像形成ドラム４１の周面には、用紙吸着のための図示せぬ吸引穴が多数形成されており、吸引穴に発生させた負圧を用いて用紙Ｐが画像形成ドラム４１の周面に吸着保持される。なお、画像形成ドラム４１は、負圧吸引を用いて用紙Ｐを吸着固定する構成に限らず、例えば、静電吸着により用紙Ｐを吸着保持する構成とすることもできる。
【００８３】
用紙押さえローラー４２は、用紙Ｐを画像形成ドラム４１の周面に押し付けて、画像形成ドラム４１の周面に密着させる。
【００８４】
インクジェットヘッド４３Ｃは、シアンのインクの液滴を吐出する記録ヘッドである。インクジェットヘッド４３Ｍは、マゼンタのインクの液滴を吐出する記録ヘッドである。インクジェットヘッド４３Ｙは、イエローのインクの液滴を吐出する記録ヘッドである。インクジェットヘッド４３Ｋは、ブラックのインクの液滴を吐出する記録ヘッドである。
【００８５】
インクジェットヘッド４３Ｃ、インクジェットヘッド４３Ｍ、インクジェットヘッド４３Ｙ、及びインクジェットヘッド４３Ｋのそれぞれには、対応する色のインク供給源である、図示せぬインクタンクから図示せぬ配管経路を介して、インクが供給される。インクジェットヘッド４３Ｃ、インクジェットヘッド４３Ｍ、インクジェットヘッド４３Ｙ、及びインクジェットヘッド４３Ｋの各々は、ライン型のインクジェットヘッドで構成される。すなわち、インクジェットヘッド４３Ｃ、インクジェットヘッド４３Ｍ、インクジェットヘッド４３Ｙ、及びインクジェットヘッド４３Ｋは、最大の用紙幅の描画可能範囲に対応する長さにわたってノズルが配列されたノズル列を有するラインヘッドで構成される。
【００８６】
図１には示さないが、インクジェットヘッド４３Ｃ、インクジェットヘッド４３Ｍ、インクジェットヘッド４３Ｙ、及びインクジェットヘッド４３Ｋの各々のノズル面には、インクの吐出口である複数個のノズルが二次元配列されている。ノズル面とは、ノズルが形成されている吐出面をいい、インク吐出面、又はノズル形成面などの用語と同義である。二次元配列された複数個のノズルのノズル配列を二次元ノズル配列という。
【００８７】
インクジェットヘッド４３Ｃ、インクジェットヘッド４３Ｍ、インクジェットヘッド４３Ｙ、及びインクジェットヘッド４３Ｋの各々は、複数個のヘッドモジュールを用紙幅方向に繋ぎ合わせて構成することができる。ここでいう用紙幅は、用紙Ｐの搬送方向と直交する方向の用紙の全長を指す。インクジェットヘッド４３Ｃ、インクジェットヘッド４３Ｍ、インクジェットヘッド４３Ｙ、及びインクジェットヘッド４３Ｋの各々は、用紙Ｐの搬送方向と直交する用紙幅方向に関して、用紙Ｐの全記録領域を、一回の走査で規定の記録解像度による画像記録が可能なノズル列を有するライン型の記録ヘッドである。このような記録ヘッドはフルライン型の記録ヘッド、又はページワイドヘッドとも呼ばれる。
【００８８】
二次元ノズル配列を有するインクジェットヘッドの場合、二次元ノズル配列における各ノズルをノズル列方向に沿って並ぶように投影した投影ノズル列は、ノズル列方向について、最大の記録解像度を達成するノズル密度で各ノズルが概ね等間隔で並ぶ一列のノズル列と等価なものと考えることができる。投影ノズル列は、二次元ノズル配列における各ノズルをノズル列方向に沿って正射影したノズル列と同義である。
【００８９】
概ね等間隔とは、インクジェット印刷装置で記録可能な打滴点として実質的に等間隔であることを意味している。例えば、製造上の誤差、及び着弾干渉による媒体上での液滴の移動の少なくともいずれか一方を考慮して僅かに間隔を異ならせたものなどが含まれている場合も、等間隔の概念に含まれる。投影ノズル列は実質的なノズル列に相当する。投影ノズル列を考慮すると、ノズル列方向に沿って並ぶ投影ノズルの並び順に、各ノズルにノズル位置を表すノズル番号を対応付けることができる。
【００９０】
インクジェットヘッド４３Ｃ、インクジェットヘッド４３Ｍ、インクジェットヘッド４３Ｙ、及びインクジェットヘッド４３Ｋの各々におけるノズルの配列形態は限定されず、様々なノズル配列の形態を採用することができる。例えば、マトリクス状の二次元配列の形態に代えて、一列の直線配列、Ｖ字状のノズル配列、及びＶ字状配列を繰り返し単位とするＷ字状などのような折れ線状のノズル配列なども可能である。
【００９１】
インクジェットヘッド４３Ｃ、インクジェットヘッド４３Ｍ、インクジェットヘッド４３Ｙ、及びインクジェットヘッド４３Ｋは、用紙Ｐの搬送経路上に一定の間隔をもって配置される。インクジェットヘッド４３Ｃ、インクジェットヘッド４３Ｍ、インクジェットヘッド４３Ｙ、及びインクジェットヘッド４３Ｋは、用紙Ｐの搬送方向と直交する方向に延在するように設置される。用紙Ｐの搬送方向と直交する方向は、画像形成ドラム４１の回転軸と平行な方向である。
【００９２】
画像形成ドラム４１を用いて搬送される用紙Ｐに向けて、インクジェットヘッド４３Ｃ、インクジェットヘッド４３Ｍ、インクジェットヘッド４３Ｙ、及びインクジェットヘッド４３Ｋのうち少なくとも一つのヘッドからインクの液滴が吐出され、吐出された液滴が用紙Ｐに付着することにより、用紙Ｐに画像が形成される。
【００９３】
本実施形態では、シアン、マゼンタ、イエロー、及びブラックの４色のインクを用いる構成を例示したが、インク色及び色数の組み合わせについては本実施形態に限定されず、必要に応じて淡インク、濃インク、及び特色インクなどを追加してもよい。例えば、ライトシアン、及びライトマゼンタなどのライト系インクを吐出するインクジェットヘッドを追加する構成、並びに緑色、又はオレンジ色などの特色のインクを吐出するインクジェットヘッドなどを追加する構成なども可能である。また、各色のインクジェットヘッドの配置順序も特に限定はない。
【００９４】
スキャナー４４は、インクジェットヘッド４３Ｃ、インクジェットヘッド４３Ｍ、インクジェットヘッド４３Ｙ、及びインクジェットヘッド４３Ｋを用いて用紙Ｐに形成された画像を光学的に読み取り、その読取画像を示す電子画像データを生成する装置である。スキャナー４４は、用紙Ｐ上に記録された画像を撮像して画像情報を示す電気信号に変換する撮像デバイスを含む。撮像デバイスとしてカラーＣＣＤリニアイメージセンサを用いることができる。ＣＣＤは、Ｃｈａｒｇｅ−Ｃｏｕｐｌｅｄ  Ｄｅｖｉｃｅの省略語であり、電荷結合素子を指す。なお、カラーＣＣＤリニアイメージセンサに代えて、カラーＣＭＯＳリニアイメージセンサを用いることもできる。ＣＭＯＳは、Ｃｏｍｐｌｅｍｅｎｔａｒｙ  Ｍｅｔａｌ  Ｏｘｉｄｅ  Ｓｅｍｉｃｏｎｄｕｃｔｏｒの省略語であり、相補型金属酸化膜半導体を指す。
【００９５】
スキャナー４４は、撮像デバイスの他、読み取り対象を照明する照明光学系及び撮像デバイスから得られる信号を処理してデジタル画像データを生成する信号処理回路を含んでもよい。
【００９６】
スキャナー４４は、インクジェットヘッド４３Ｃ、インクジェットヘッド４３Ｍ、インクジェットヘッド４３Ｙ、及びインクジェットヘッド４３Ｋのうち、用紙Ｐの搬送方向に対して最下流に位置するインクジェットヘッド４３Ｋの下流側に配置される。スキャナー４４は、画像形成ドラム４１による用紙Ｐの搬送中に用紙Ｐ上の画像の読み取りを行う。
【００９７】
インクジェットヘッド４３Ｃ、インクジェットヘッド４３Ｍ、インクジェットヘッド４３Ｙ、及びインクジェットヘッド４３Ｋの少なくとも一つを用いて画像が形成された用紙Ｐは、スキャナー４４の読取領域を通過する際に、用紙Ｐ上の画像が読み取られる。用紙Ｐに形成される画像としては、印刷ジョブで指定される印刷対象の画像の他、ノズルごとの吐出状態を検査するための不良ノズル検知パターン、印刷濃度補正用テストパターン、印刷濃度ムラ補正用テストパターン、及びその他の各種のテストパターンの少なくともいずれかが含まれ得る。
【００９８】
スキャナー４４を用いて読み取られた読取画像のデータを基に、印刷画像の検査が行われ、画質異常の有無が判断される。また、スキャナー４４を用いて読み取られた読取画像のデータを基に、印刷画像の濃度やインクジェットヘッド４３Ｃ、インクジェットヘッド４３Ｍ、インクジェットヘッド４３Ｙ、及びインクジェットヘッド４３Ｋの吐出不良などの情報を得ることができる。
【００９９】
〈インク乾燥部〉
インク乾燥部５０は、画像形成後の用紙Ｐを加熱して、インクを乾燥させる。インク乾燥部５０は、第一チェーンデリバリー５１と、第二用紙ガイド５２と、第一加熱装置５３と、を備える。
【０１００】
第一チェーンデリバリー５１は、画像形成ドラム４１から受け取った用紙Ｐを用紙Ｐの搬送経路に沿って搬送して、ニス塗布ドラム６１に受け渡す。第一チェーンデリバリー５１は、一定の走行経路に沿って走行する一対の無端状のチェーンを備え、その一対のチェーンに掛け渡された図示せぬグリッパーを用いて用紙Ｐの先端を把持して、用紙Ｐを一定の搬送経路に沿って搬送する。
【０１０１】
第二用紙ガイド５２は、第一チェーンデリバリー５１を用いて搬送される用紙Ｐの走行をガイドする。第二用紙ガイド５２は、中空のボード形状を有し、用紙Ｐの搬送経路に沿って平坦なガイド面を有する。用紙Ｐは、第二用紙ガイド５２のガイド面の上を摺動しながら搬送される。第二用紙ガイド５２のガイド面は、図示せぬ多数の吸引穴を備える。用紙Ｐは、吸引穴から吸引されながら、第二用紙ガイド５２のガイド面上を摺動する。これにより、用紙Ｐに張力を与えながら用紙Ｐを搬送できる。
【０１０２】
第二用紙ガイド５２に代わり、用紙Ｐの後端を吸着支持する搬送ベルトを備えてもよい。搬送ベルトは、第一チェーンデリバリー５１と概ね同期して走行し、用紙Ｓを搬送ベルトの走行方向に沿って搬送する。
【０１０３】
第一加熱装置５３は、第一チェーンデリバリー５１を用いて搬送される用紙Ｐの画像表面を加熱して、インクを乾燥させる。第一加熱装置５３は、例えば、棒状のヒーターを用紙Ｐの搬送方向に沿って一定の間隔で複数本配置して構成される。各ヒーターは、用紙Ｐの搬送方向と直交して配置される。ヒーターには、例えば、ハロゲンヒーターや赤外線ヒーターが使用される。第一加熱装置５３は、ファン又はブロアなどの送風手段を含んでいてもよい。第一加熱装置５３は、ヒーターの点灯本数、及び点灯デューティー比の少なくともいずれかの変更によって、乾燥させる強さの度合を示す乾燥強度が調節される。
【０１０４】
用紙Ｐは、第一チェーンデリバリー５１を用いて搬送される過程で第一加熱装置５３を用いて画像表面が加熱され、インクが乾燥される。
【０１０５】
インクジェット印刷装置１は、インク乾燥部５０におけるインク乾燥条件を適切に制御するために、第一温度検出部５６を備える。第一温度検出部５６は、第一加熱装置５３を用いて乾燥処理が施された用紙Ｐの温度を検出する。第一温度検出部５６を用いて検出される用紙Ｐの温度は、例えば、用紙Ｐの表面温度である。第一温度検出部５６には、非接触式の温度センサを用いることができる。
【０１０６】
第一温度検出部５６は、第一加熱装置５３よりも用紙搬送経路の下流側、かつ、ニス塗布部６０に用紙Ｐを受け渡す手前の位置に配置される。第一温度検出部５６を用いて検出される温度情報に基づき、第一加熱装置５３の動作が制御される。
【０１０７】
〈ニス塗布部〉
ニス塗布部６０は、画像形成後の用紙Ｐの画像表面にニスを塗布する。本実施形態で用いるニスは水性ニスである。水性ニスとは、水溶性のニスである。ニス塗布部６０は、ニス塗布ドラム６１と、ニスコーター９０と、を備える。
【０１０８】
ニス塗布ドラム６１は、第一チェーンデリバリー５１から用紙Ｐを受け取り、受け取った用紙Ｐを一定の搬送経路に沿って搬送し、第二チェーンデリバリー７１に受け渡す。ニス塗布ドラム６１は、ドラム周面に備えられた図示せぬグリッパーを用いて用紙Ｐの先端を把持して回転し、用紙Ｐを周面に巻き付けて搬送する。
【０１０９】
ニスコーター９０の構成例として、ニス槽、汲み上げローラー、計量ブレード、一つ以上の中間転写ローラー、及びニス塗布ローラーを備える構成が挙げられる。ニスコーター９０の構成は特に限定されず、ドクターチャンバーとニス塗布ローラーとを備えた構成であってもよい。ニスコーター９０は、目標とする光沢を実現し得る光沢向上剤が添加されたニスが供給される。なお、ニスコーター９０は光沢向上剤が非添加のニスが供給され得る。光沢向上剤が添加されたニスの詳細は後述する。
【０１１０】
画像形成後の用紙Ｐをニスコートする場合、用紙Ｐは、ニス塗布ドラム６１に搬送される過程で画像形成面にニス塗布ローラーが押圧当接されて、画像形成面にニスが塗布される。ニス塗布部６０はニス付与部の一例である。
【０１１１】
〈ニス後処理部〉
ニス後処理部７０は、ニス塗布部６０で用紙Ｐの画像表面に塗布されたニスの後処理を行う。水性ニスが使用される場合は、ニスの後処理として、加熱乾燥処理が施される。ここでいう加熱乾燥処理は、ニスが塗布された用紙Ｐの画像表面を加熱して、ニスを乾燥させる処理、すなわち、ニス中の水分又は溶剤を揮発させる処理である。これにより、ニス層の表面のべたつきを抑制し、ブロッキングの発生を抑制する。
【０１１２】
ニス後処理部７０は、第二チェーンデリバリー７１と、第三用紙ガイド７２と、第二加熱装置７０Ａとを備える。
【０１１３】
第二チェーンデリバリー７１は、ニス塗布ドラム６１から用紙Ｐを受け取り、受け取った用紙Ｐを一定の搬送経路に沿って搬送し、排紙位置で排紙する。第二チェーンデリバリー７１は、一定の走行経路に沿って走行する一対の無端状のチェーンを備え、その一対のチェーンに掛け渡された図示せぬグリッパーを用いて用紙Ｐの先端を把持して、用紙Ｐを一定の搬送経路に沿って搬送する。
【０１１４】
第三用紙ガイド７２は、第二チェーンデリバリー７１を用いて搬送される用紙Ｐの走行をガイドする。第三用紙ガイド７２は、中空のボード形状を有し、用紙Ｐの搬送経路に沿って平坦なガイド面を有する。用紙Ｐは、第三用紙ガイド７２のガイド面の上を摺動しながら搬送される。第三用紙ガイド７２のガイド面は、図示せぬ多数の吸引穴を備える。用紙Ｐは、吸引穴から吸引されながら、ガイド面上を摺動する。これにより、用紙Ｐに張力を与えながら用紙Ｐを搬送できる。
【０１１５】
第二加熱装置７０Ａは、第二チェーンデリバリー７１を用いて搬送される用紙Ｐの画像表面を加熱して、画像表面に塗布されたニスを乾燥させる。第二加熱装置７０Ａは、第一加熱装置５３と同様の構成が適用可能である。
【０１１６】
水性ニスが塗布された用紙Ｐは、第二チェーンデリバリー７１を用いて搬送される過程で第二加熱装置７０Ａを用いて画像表面が加熱され、塗布されたニスが乾燥される。
【０１１７】
ニス後処理部７０は、用紙Ｐに塗布されたニスを冷却する図示せぬ冷却処理部を備えていてもよい。冷却処理部の構成例として、送風ファンが備えられる構成が挙げられる。ニスに対して冷却処理が施されることで、ニスの粘度を上昇させることができる。ニスの粘度を上昇させることで、インクの溶剤がニス中に混入されることが抑制され、ニスのべたつきの抑制が可能となる。
【０１１８】
インクジェット印刷装置１は、ニス後処理部７０におけるニス乾燥条件を適切に制御するために、第二温度検出部９４を備える。第二温度検出部９４は、第二加熱装置７０Ａを用いてニスの後処理が施された後の用紙Ｐの温度を検出する。第二温度検出部９４を用いて検出される用紙Ｐの温度は、例えば、用紙Ｐの表面温度である。第二温度検出部９４には、非接触式の温度センサを用いることができる。
【０１１９】
第二温度検出部９４は、第二加熱装置７０Ａよりも用紙搬送経路の下流側、かつ、集積部８０の手前の位置に配置される。第二温度検出部９４を用いて検出される温度情報に基づき、第二加熱装置７０Ａの動作が制御される。
【０１２０】
〈集積部〉
集積部８０は、排紙される用紙Ｐをスタックする。集積部８０は、集積装置８１を備える。集積装置８１は、定められた排紙位置で第二チェーンデリバリー７１から開放される用紙Ｐを受け取り、排紙台の上に用紙Ｐを積み重ねて回収する。
【０１２１】
〈パウダー噴霧部〉
インクジェット印刷装置１は、パウダー噴霧部９６を備える。パウダー噴霧部９６は、集積部８０にスタックされる用紙Ｐにパウダーを噴霧する。パウダーは、ブロッキング抑止効果を持つ粉末である。パウダーとして、印刷分野において使用されているブロッキング防止パウダーを用いることが可能である。
【０１２２】
パウダーはブロッキング防止剤と呼ばれる場合がある。パウダーは、無機粒子、又は有機粒子のいずれであってもよい。パウダーの例として、シリコーン樹脂をコーティングした澱粉、シリカ、アクリル系樹脂、スチレン系樹脂、シリコーン系樹脂、及び金属酸化物からなる群から選ばれる材料の粒子が好ましい。
【０１２３】
アクリル系樹脂の例として、ポリメチルアクリレート、及びポリメチルメタアクリレートが挙げられる。スチレン系樹脂の例として、ポリスチレンが挙げられる。金属酸化物の例として、酸化チタン、酸化マグネシウム、及び酸化アルミニウムが挙げられる。
【０１２４】
インクジェット方式の画像形成に用いられるインクは、インクジェット方式以外の印刷方式において用いられるインクに比べて水の含有量が高い。したがって、インクジェット印刷装置１において、印刷物の耐擦性を高め、かつ、画像における画像欠陥の発生を防ぐためには、パウダーは疎水性であることが好ましい。例えば、シリコーン系樹脂でコーティング処理した澱粉などの疎水処理されているパウダーが更に好ましい。
【０１２５】
図１に示されたパウダー噴霧部９６は、用紙Ｐの搬送経路において第二温度検出部９４よりも用紙Ｐの搬送方向の下流側の位置に配置される。パウダー噴霧部９６は、集積部８０にスタックされる前の用紙Ｐに、又は、集積部８０に載せた後の用紙Ｐにパウダーを噴霧する。
【０１２６】
パウダー噴霧部９６には、印刷分野においてパウダーの付与部として用いられているパウダースプレーノズルを適用可能である。パウダー噴霧部９６は、ブロワー式、又は電子噴霧式などの方式が適用可能である。パウダー噴霧部９６はパウダー付与部の一例である。
【０１２７】
［集積部におけるブロッキングの問題］
用紙を集積する集積部におけるブロッキングの問題について説明する。集積部におけるブロッキングは、スタッカーブロッキングと呼ばれることがある。以下の説明におけるブロッキングは、特に説明がない場合はスタッカーブロッキングを示している。
【０１２８】
集積部におけるブロッキングの発生は、特に、図１に示したインライン塗布方式を適用して、ニスを塗布する場合に顕著である。一方、ニスに高光沢が求められる場合、光沢向上剤をニスに添加して光沢性能を向上させる場合がある。しかし、光沢向上剤のニスへの添加は、ブロッキングを悪化させる要因となり得る。なお、光沢向上剤は、水溶性樹脂、及び中和剤が含まれる液体である。
【０１２９】
画像の滲み等を抑制して、所望の画像品質を確保することを目的として、インクの色材成分を凝集させる処理液を用紙に塗布する場合、処理液に含まれる酸と水性ニスに含まれるラテックスとが凝集反応を発現して、光沢が低下してしまうという問題がある。
【０１３０】
処理液を使用した場合の光沢低下の問題は、特に用紙の非画像部において顕著である。用紙の非画像部とは、用紙におけるインクが付与されない領域である。用紙の非画像部は用紙の白地と表現される場合がある。
【０１３１】
処理液を用紙に塗布する場合には、中和剤を含む光沢向上剤をニスに添加して、処理液に含まれる酸と水性ニスに含まれるラテックスとの凝集反応を抑制し得る。しかし、光沢向上剤の添加に起因して、上述のとおり、集積部８０におけるブロッキングが悪化する。
【０１３２】
光沢向上剤の添加に起因するブロッキングの悪化の原因は以下のとおりである。インク溶剤、及びニスへ中和剤が混入した場合、インク溶剤単独へ中和剤が混入した場合と比較して、ニス表面のべたつきの増加が大きくなる。
【０１３３】
図２はべたつきの挙動を表すグラフである。図２に示したグラフは、ニスのみの場合、ニスにインク溶剤が混入した場合、ニスに中和剤が混入した場合、及びニスに中和剤、及びインク溶剤が混入した場合における、べたつき評価値の違いを表している。ここでいう、べたつき評価値とは、ニスの表面に発生するべたつきの状態を表す指標値である。べたつき評価値が相対的に大きい場合はニス表面のべたつきが大きく、べたつき評価値が相対的に小さい場合はニス表面のべたつきが小さいことを示す。以下、ニスのべたつき、又はべたつきは、ニス表面のべたつきを表すこととする。
【０１３４】
図２に示したグラフの横軸は液体の種類である。図２に示したグラフの縦軸はべたつき評価値である。べたつき評価値が相対的に小さい場合はブロッキングが発生しにくい。一方、べたつき評価値が相対的に大きい場合はブロッキングが発生しやすい。
【０１３５】
図２に示すように、符号Ｇ２１を付したデータが表すニスに中和剤とインク溶剤とが混入した場合は、符号Ｇ２２を付したデータが表すニスにインク溶剤が単独で混入した場合と比較して、ニス表面のべたつきの増加が大きくなる。
【０１３６】
すなわち、符号Ｇ２４を付したデータが表すニスに中和剤が混入した場合のべたつき評価値からの、符号Ｇ２１を付したデータが表すニスに中和剤とインク溶剤とが混入した場合のべたつき評価値の増加分は、符号Ｇ２３を付したデータが表すニスのみのべたつき評価値からの、符号Ｇ２２を付したデータが表すニスにインク溶剤が単独で混入した場合のべたつき評価値の増加分よりも大きい。
【０１３７】
ニス表面のべたつきの増加が大きくなるため、中和剤を添加した場合は中和剤を添加しない場合よりもブロッキングが悪化する。
【０１３８】
図３は白地光沢とべたつきとの関係を示すグラフである。図３に示したグラフの横軸は白地光沢である。図３に示したグラフの縦軸はニス表面のべたつき評価値である。
【０１３９】
白地光沢は、用紙の白地における光沢の測定値であり、光沢値を用いて表される。図３に示した白地光沢は、処理液が付与されていない用紙の白地における光沢値である。
【０１４０】
図３に示した白地光沢は、ニスに添加される光沢向上剤の添加量を一定量ずつ増加させた場合の、光沢向上剤の添加量ごとの光沢値である。光沢値は光沢度計の測定値を適用した。なお、光沢値は光沢度と同義である。本実施形態では、光沢値の測定は予め定められた用紙を使用した。
【０１４１】
図３に示したニスのべたつき評価値は、図２に示したニスのべたつき評価値を適用可能である。図３に示したグラフの縦軸のスケールは、図２に示したグラフの縦軸のスケールと一致していてもよいし、不一致でもよい。
【０１４２】
図３に符号Ｇ３１を付した曲線が示すように、光沢値を上げることを目的としてニスに添加する光沢向上剤の添加量を増加させた場合、光沢向上剤の添加量の増加に応じて、ニスのべたつきが増加してしまう。
【０１４３】
一方、ブロッキングの抑制を目的として、ニスに添加する光沢向上剤の添加量を減少させた場合、光沢向上剤の添加量の減少に応じて、光沢値が低下してしまう。
【０１４４】
以下に、用紙に画像が形成され、画像が形成された用紙に乾燥処理が施された後に水性ニスが塗布される場合において、ブロッキングの抑制と、目標とする画像の光沢の実現とを両立し得る乾燥制御方法について説明する。
【０１４５】
［乾燥制御方法の詳細な説明］
〈概要〉
光沢向上剤を含有する水性ニスを塗布する場合、光沢向上剤を含有しない水性ニスを塗布する場合と比較して、インク乾燥処理における加熱期間の長期間化を実施する。具体的には、インク膜表面の膜面温度を一定以上に保持する期間を長めにとる。
【０１４６】
または、光沢向上剤を含有する水性ニスを塗布する場合、光沢向上剤を含有しない水性ニスを塗布する場合と比較して、インク乾燥処理における加熱温度の高温度化を実施する。具体的には、一定期間維持されるインク膜表面の膜面温度を上昇させる。
【０１４７】
インク乾燥処理における加熱期間の長期間化、及びインク乾燥処理における加熱温度の高温度化を併用してもよい。すなわち、インク乾燥処理における加熱期間の高温度化、及びインク乾燥処理における加熱温度の高温度化の少なくともいずれか一方を実施する。
【０１４８】
インク膜は、用紙に形成されたインクから構成される用紙表面のインクの膜である。インク膜の膜面温度はインク膜の表面温度である。一定以上の温度はインク乾燥処理における加熱温度を示す。一定期間はインク乾燥処理における加熱期間を示す。
【０１４９】
換言すると、インク乾燥処理における加熱温度は、目標のインクの粘度を実現するインクの到達温度である。インク乾燥処理における加熱期間は、加熱温度が維持される期間である。
【０１５０】
光沢向上剤を含まないニスを使用する場合と比較して、光沢向上剤を含むニスを使用する場合は、インク乾燥処理における加熱期間を長めに設定することに起因して、ニスを塗布する前にインク膜中に残存するインク溶剤を用紙へ浸透させ、インク膜中に残存するインク溶剤の量を減少させる。これにより、ニスを塗布した際にニスに混入するインク溶剤の量を削減できる。結果として、ニス表面のべたつきの増加が抑えられ、ブロッキングを抑制しうる。また、ニスに含有する光沢向上剤が作用して、目標の光沢を確保し得る。
【０１５１】
インク膜中に残存したインク溶剤を用紙層に浸透させる手段を、以下の式１を用いて表されるLucas-Washburnの式から考察する。用紙層とは、インクの浸透が可能な浸透性を有する用紙における、インクを吸収可能な用紙の層を意味する。
【０１５２】
ｌ＝｛ｒ×γ×ｃｏｓθ×ｔＡ／（２×η）｝１／２  …式１
ここで、上記の式１におけるｌは用紙の浸透深さ、ｒは用紙の毛管半径、γは液体の表面張力、θは用紙に対する液体の接触角、ηはインク溶剤の粘度、ｔＡは期間を表す。水性インクの場合、インク溶剤の粘度はインクの粘度としてもよい。インク溶剤はインク溶媒と同義である。
【０１５３】
インク溶剤の用紙への浸透量をＶとした場合、浸透量Ｖは用紙の浸透深さｌに比例するので、用紙の浸透深さｌを相対的に大きくすると、相対的に多くのインク溶剤を用紙へ浸透させることができる。期間ｔＡを相対的に大きくする場合、インク溶剤の粘度ηを相対的に小さくする場合、及び期間ｔＡを相対的に大きくし、かつ、インク溶剤の粘度ηを相対的に小さくする場合に、用紙の浸透深さｌを相対的に大きくすることが可能である。
【０１５４】
〈溶剤粘度の温度依存性〉
図４は溶剤粘度の温度依存性を示すグラフである。溶剤粘度はインク溶剤の粘度である。本明細書における溶剤粘度、インク溶剤の粘度、及びインクの粘度は相互に読み替えが可能である。図４にはインク溶剤としてプロピレングリコールを含有するインクの場合、及びインク溶剤としてジプロピレングリコールを含有するインクの場合における、溶剤粘度の温度依存性を示す。
【０１５５】
図４の横軸はインクの温度である。温度の単位は℃である。図４の縦軸は溶剤粘度を表している。溶剤粘度の単位はミリパスカル秒である。なお、ミリパスカル秒は、１０−３パスカル秒である。
【０１５６】
符号Ｇ４１を付した曲線は、プロピレングリコールを含有するインクにおける溶剤粘度の温度依存性を表す。符号Ｇ４２を付した曲線はジプロピレングリコールを含有するインクにおける溶剤粘度の温度依存性を表す。
【０１５７】
プロピレングリコールを含有するインクの場合、及びジプロピレングリコールを含有するインクの場合は、いずれも相対的に温度を高くした場合に、相対的に溶剤粘度が低くなる。そうすると、インクの温度を高温に維持するほどインク溶剤は用紙へ浸透しやすくなる。
【０１５８】
インク溶剤の種類が異なる場合、インクの温度を同一としても、インク溶剤の分子量の差に起因して溶剤粘度は異なる。例えば、図４に示すように、ジプロピレングリコールを含有するインクは、プロピレングリコールを含有するインクと比較して同じ温度でも粘度が高い。そうすると、ジプロピレングリコールを含有するインクは、プロピレングリコールを含有するインクと同程度の粘度を実現する場合、プロピレングリコールを含有するインクと比較して高温を維持する必要がある。
【０１５９】
例えば、プロピレングリコールを含有するインクにおいて、３０ミリパスカル秒の粘度を実現する温度が約３６℃であるのに対して、ジプロピレングリコールを含有するインクにおいて、３０ミリパスカル秒の粘度を実現する温度は約４５℃である。
【０１６０】
〈溶剤粘度の加熱期間依存性〉
インク溶剤を用紙へ浸透させる場合、インク乾燥処理の加熱期間をより長くするインク乾燥処理の長期間化を行う。そうすると、より多くのインク溶剤を用紙へ浸透させることが可能となる。
【０１６１】
用紙にインクが付与されてから、用紙へのニスの塗布が開始されるまでの期間、インクの温度をより高温に維持するインク乾燥処理の高温度化を行う。更に、インクの高温をより長期間維持する。そうすると、より多くのインク溶剤を用紙へ浸透させることができ、ニスの塗布を開始する際のインク膜中のインク溶剤の残量を低減化が可能となる。
【０１６２】
〈ニス条件、及びインク乾燥処理条件〉
次に、目標の高光沢、及びブロッキングの抑制の両立を実現するニス条件、及びインク乾燥処理条件について説明する。
【０１６３】
ニス条件は、光沢増加分の条件が含まれる。光沢増加分は、光沢向上剤が非添加のニスを塗布した場合の光沢値からの、光沢向上剤を添加したニスを塗布した場合の光沢値の増加分である。光沢増加分は光沢向上剤の添加量の増加に応じて増加する。光沢増加分の単位はグロスユニットである。
【０１６４】
インク乾燥条件は、溶剤粘度、又は溶剤粘度を実現するインク乾燥処理の加熱温度が含まれる。インク乾燥条件は、インク乾燥処理の加熱期間が含まれる。
【０１６５】
光沢増加分が異なる三水準について、溶剤粘度、加熱期間、及びブロッキング性能の関係を実験から導出し、実験結果に基づいてニス条件、及びインク乾燥処理条件を導出した。
【０１６６】
ブロッキング性能とは、集積部におけるブロッキングが発生するか否かの観点から評価した印刷装置の性能、又はインク乾燥処理部の性能である。ブロッキング性能は、ブロッキングが発生せずに、印刷物を連続して積載することが可能な枚数を指標とした。
【０１６７】
実験に使用した素材、及び光沢向上剤は、以下の表１とおりである。
【０１６８】
【表１】
2018221130.tif 000003
【０１６９】
水性ニスは、ＤＩＣグラフィック社製、ＨＹＤＬＩＴＨ２０１２−Ｒ１を使用した。ＨＹＤＬＩＴＨ２０１２−Ｒ１は製品名である。光沢向上剤は、ＡＮＧＬＥ  ＣＨＥＭＩＣＡＬ  ＣＡＭＰＡＮＹ製、ＡＭＰを使用した。ＡＭＰは商品名である。ＡＭＰの化学名は２−アミノ−２メチル−１−プロパノールである。
【０１７０】
インクの主溶剤はプロピレングリコールである。インクの主溶剤とは、インク溶剤に含まれる水以外の成分物質のうち、最も含有率が高い物質である。処理液は富士フイルム社製Ｃ−ＦＪ−ＣＰ３を使用した。Ｃ−ＦＪ−ＣＰ３は製品名である。
【０１７１】
表２には、光沢増加分と光沢向上剤の添加量との関係を示す。光沢向上剤の添加量は、ニスの体積を１００パーセントとした場合の、ニスに添加される光沢向上剤の体積の比率を用いて表した。添加量は添加率と読み替えが可能である。光沢値の単位は、後述する光沢値の単位と同様にグロスユニットである。
【０１７２】
【表２】
2018221130.tif 000004
【０１７３】
表２における光沢増加分プラス５は、光沢向上剤を２．５パーセント添加したニスを使用して実現した。光沢増加分プラス１０は、表１に記載の光沢向上剤を５．０パーセント添加したニスを使用して実現した。光沢増加分プラス１５は、表１に記載の光沢向上剤を７．５パーセント添加したニスを使用して実現した。表２の光沢増加分プラス５は光沢度計の測定値が５グロスユニット増加したことを表す。光沢増加分プラス１０、及び光沢増加分プラス１５も同様である。
【０１７４】
用紙は、北越紀州製紙社製、ＮＥＷ−ＤＶ３１０ｇｍｓを使用した。３１０ｇｍｓは米坪を表す。米坪とは紙の厚さを表す単位である。米坪は１平方メートルあたりの紙の重量を表した単位である。米坪はメートル坪量と呼ばれることがある。
【０１７５】
処理液の塗布量は、１．５グラム毎平方メートルであり、定量である。ニスの塗布量は３．０グラム毎平方メートルであり、定量である。ここで、塗布量はウエット塗布量である。ウエット塗布量は、塗布後の用紙の質量から塗布前の用紙の質量を減算して求められる。
【０１７６】
表３には、用紙にニスのみを塗布した場合の光沢向上剤の添加量と光沢値との関係を示す。
【０１７７】
【表３】
2018221130.tif 000005
【０１７８】
表３に示した光沢値は、光沢度計の測定値である。光沢値の単位はグロスユニットである。光沢度計の測定値は、用紙搬送方向の光沢値の測定値と、用紙幅方向の光沢値の測定値との平均値である。用紙搬送方向は、図１に示したインクジェット印刷装置１における用紙Ｐの搬送方向である。光沢度計は、ＢＹＫ社製、ｍｉｃｒｏ−ＴＲＩＧｌｏｓｓを用いた。光沢値の測定値は、測定角度が６０度の測定値を採用した。
【０１７９】
光沢値は、複数回の測定における代表値を適用してもよい。その場合の代表値は、平均値を用いる。
【０１８０】
表３における光沢向上剤の添加量が０パーセントは光沢向上剤が非添加のニスを塗布した場合を表している。光沢向上剤の添加量が０パーセントの場合の光沢値は５５グロスユニットである。光沢向上剤の添加量が２．５パーセントの場合の光沢値は６０グロスユニットである。光沢向上剤の添加量が５．０パーセントの場合の光沢値は６５グロスユニットである。光沢向上剤の添加量が７．５パーセントの場合の光沢値は７０グロスユニットである。なお、表３に示した光沢値は上記の表１に記載のニス、及び光沢向上剤を使用した場合の値である。光沢値は、ニスの種類、及び光沢向上剤の種類に応じて表３に示した値以外の値となり得る。
【０１８１】
上記の表２に示した光沢向上剤の添加量が異なる三種類のニスを準備した。処理液を塗布した用紙に画像を形成する。画像は、シアンインクを用いた１００パーセントべた画像である。１００パーセントべた画像は用紙のインク被覆率が１００パーセントのべた画像である。なお、画像の種類はシアンインクを用いた１００パーセントべた画像に限定されず、任意の画像を使用し得る。
【０１８２】
画像が形成された用紙にインク乾燥処理を施す。インク乾燥処理が施された用紙にニスを塗布する。ニスが塗布された用紙にニス乾燥処理を施す。ニス乾燥処理は３５℃の空気を送風した。送風に用いられる空気の温度は常温を適用してもよい。常温は装置の環境温度を適用してもよい。常温の例として３０℃以上４０℃以下の任意の温度が挙げられる。
【０１８３】
ニス乾燥処理を施した後の用紙を積載する。ブロッキングが発生せずに積載された用紙の枚数を測定する。上記の表２に示した三水準のニスについて上記の実験を実施する。
【０１８４】
表４には、ブロッキング性能のランク、及びランクごとの到達枚数を示す。
【０１８５】
【表４】
2018221130.tif 000006
【０１８６】
表４はブロッキングが発生せずに積載可能な用紙の枚数がＡからＥの五段階で表されている。表２に示した光沢向上剤の添加量が異なる三つの水準の水準ごとに、ブロッキングが発生せずに連続して積載が可能な用紙の枚数、溶剤粘度、及びインク乾燥処理の加熱期間を測定した。
【０１８７】
表５、及び表６には、光沢増加分がプラス１５の場合の実験結果を示す。
【０１８８】
【表５】
2018221130.tif 000007
【０１８９】
表５における溶剤粘度η１は、加熱温度Ｔにおける溶剤粘度である。例えば、加熱温度Ｔが４０℃の場合、溶剤粘度η１は２５．０ミリパスカル秒である。表５における加熱温度は、インク乾燥処理の処理温度に相当する。表５における加熱期間は、インク乾燥処理の処理期間に相当する。
【０１９０】
表６は、表５において、表４のランクＢの到達枚数に該当する溶剤粘度η１と加熱期間ｔ１との組み合わせを示した。ランクＢに該当する溶剤粘度η１と加熱期間ｔ１との組み合わせが二種類以上の場合は、加熱期間ｔ１が最も短くなる溶剤粘度η１と加熱期間ｔ１との組み合わせを抽出した。表６の溶剤粘度欄に記載したかっこ内の温度値は、溶剤粘度を実現する加熱温度の値である。表８、表１０、表１２、表１４、及び表１６についても同様である。
【０１９１】
【表６】
2018221130.tif 000008
【０１９２】
表４のランクＡに記載した到達枚数、及びランクＢに記載した到達枚数を目標とするブロッキング性能と規定した場合、表６に示した溶剤粘度η１と加熱期間ｔ１との組み合わせは、光沢増加分がプラス１５の場合のインク乾燥条件と規定することが可能である。また、溶剤粘度η１を実現する加熱温度Ｔは、光沢増加分がプラス１５の場合のインク乾燥条件と規定することが可能である。
【０１９３】
溶剤粘度η１に対応する加熱期間ｔ１以上の期間を、インク乾燥処理における加熱期間として設定する。例えば、溶剤粘度η１が７．６ミリパスカル秒の場合、加熱期間ｔ１を１０．０秒以上に設定する。これにより、目標のブロッキング性能を満足することが可能である。
【０１９４】
表７、及び表８には、光沢増加分がプラス１０の場合の実験結果を示す。
【０１９５】
【表７】
2018221130.tif 000009
【０１９６】
【表８】
2018221130.tif 000010
【０１９７】
表７、及び表８における溶剤粘度η２、加熱温度Ｔ、及び加熱期間ｔ２は、それぞれ、表５、及び表６における溶剤粘度η１、加熱温度Ｔ、及び加熱期間ｔ１と同様である。ここでの説明は省略する。
【０１９８】
光沢増加分がプラス１５の場合と同様に、表４のランクＡに記載した到達枚数、及びランクＢに記載した到達枚数を目標とするブロッキング性能と規定した場合、表８に示した溶剤粘度η２と加熱期間ｔ２との組み合わせは、光沢増加分がプラス１０の場合のインク乾燥条件と規定することが可能である。また、溶剤粘度η２を実現する加熱温度Ｔは、光沢増加分がプラス１０の場合のインク乾燥条件と規定することが可能である。
【０１９９】
表９、及び表１０には、光沢増加分がプラス５の場合の実験結果を示す。
【０２００】
【表９】
2018221130.tif 000011
【０２０１】
【表１０】
2018221130.tif 000012
【０２０２】
表９、及び表１０における溶剤粘度η３、加熱温度Ｔ、及び加熱期間ｔ３は、それぞれ、表５、及び表６における溶剤粘度η１、加熱温度Ｔ、及び加熱期間ｔ１と同様である。ここでの説明は省略する。
【０２０３】
光沢増加分がプラス１５の場合、及び光沢増加分がプラス１０の場合と同様に、表４のランクＡに記載した到達枚数、及びランクＢに記載した到達枚数を目標とするブロッキング性能と規定した場合、表８に示した溶剤粘度η３と加熱期間ｔ３との組み合わせは、光沢増加分がプラス５の場合のインク乾燥条件と規定することが可能である。また、溶剤粘度η３を実現する加熱温度Ｔは、光沢増加分がプラス５の場合のインク乾燥条件と規定することが可能である。
【０２０４】
表５、表７、及び表９に示したように、溶剤粘度が小さいほど、加熱温度が高いほど、又は加熱期間が長いほど、ブロッキング性能は向上する。また、光沢増加分が高いニスは、光沢増加分が低いニスと同等のブロッキング性能を得ようとする場合、より高温の加熱温度、及びより長い加熱期間が必要となる。
【０２０５】
また、加熱温度の上限が制限され、ある粘度以下に溶剤粘度を下げられない場合は、加熱期間をより長くすることで、目標とするブロッキング性能を満足し得る。加熱期間の上限が制限され、ある期間以上に加熱期間を長くすることができない場合は、加熱温度をより高くし、溶剤粘度をより小さくすることで、目標とするブロッキング性能を満足し得る。
【０２０６】
表１１から表１６には、インクの主溶剤をプロピレングリコールからジプロピレングリコールへ変更した場合の実験結果を示す。
【０２０７】
【表１１】
2018221130.tif 000013
【０２０８】
【表１２】
2018221130.tif 000014
【０２０９】
【表１３】
2018221130.tif 000015
【０２１０】
【表１４】
2018221130.tif 000016
【０２１１】
【表１５】
2018221130.tif 000017
【０２１２】
【表１６】
2018221130.tif 000018
【０２１３】
表１１から表１６に示したインクの主溶剤がジプロピレングリコールの場合の実験結果を、表５から表１０に示したインクの主溶剤がプロピレングリコールの場合の実験結果と比較する。
【０２１４】
インクの主溶剤がジプロピレングリコールの場合に、インクの主溶剤がプロピレングリコールの場合と同等のブロッキング性能を得るためには、インクの主溶剤がプロピレングリコールの場合と同等の粘度になるまで、インク膜を加熱する必要がある。
【０２１５】
そして、インクの主溶剤がジプロピレングリコールの場合は、インクの主溶剤がプロピレングリコールの場合と比較して、１０℃から１５℃程度高いインク膜の加熱温度が必要になる。
【０２１６】
図５は光沢増加分が１５の場合における、溶剤粘度と加熱期間との関係を示すグラフである。図５の横軸は溶剤粘度η１である。図５の縦軸は加熱期間ｔ１である。図５に符号Ｇ５１を付した曲線は、インクの主溶剤がプロピレングリコールの場合の溶剤粘度η１と加熱期間ｔ１との関係を示す。図５に符号Ｇ５２を付した曲線は、インクの主溶剤がジプロピレングリコールの場合の溶剤粘度η１と加熱期間ｔ１との関係を示す。
【０２１７】
図５に示すように、溶剤粘度η１が概ね同じになるように加熱温度が調整された場合は、インクの主溶剤の種類に関わらず、溶剤粘度η１と加熱期間ｔ１との関係は概ね同じとなる。
【０２１８】
図６は光沢増加分が１０の場合の溶剤粘度と加熱期間との関係を示すグラフである。図６の横軸は溶剤粘度η２である。図６の縦軸は加熱期間ｔ２である。図６に符号Ｇ６１を付した曲線は、インクの主溶剤がプロピレングリコールの場合の溶剤粘度η２と加熱期間ｔ２との関係を示す。図６に符号Ｇ６２を付した曲線は、インクの主溶剤がジプロピレングリコールの場合の溶剤粘度η２と加熱期間ｔ２との関係を示す。
【０２１９】
図６に示すように、光沢増加分が１０の場合についても、溶剤粘度η２が概ね同じになるように加熱温度が調整された場合は、インクの主溶剤の種類に関わらず、溶剤粘度η２と加熱期間ｔ２との関係は概ね同じとなる。
【０２２０】
図７は光沢増加分が５の場合の溶剤粘度と加熱期間との関係を示すグラフである。図７の横軸は溶剤粘度η３である。図７の縦軸は加熱期間ｔ３である。図７に符号Ｇ７１を付した曲線は、インクの主溶剤がプロピレングリコールの場合の溶剤粘度η３と加熱期間ｔ３との関係を示す。図７に符号Ｇ７２を付した曲線は、インクの主溶剤がジプロピレングリコールの場合の溶剤粘度η３と加熱期間ｔ３との関係を示す。
【０２２１】
図７に示すように、光沢増加分が５の場合についても、溶剤粘度η３が概ね同じになるように加熱温度が調整された場合は、インクの主溶剤の種類に関わらず、溶剤粘度η３と加熱期間ｔ３との関係は概ね同じとなる。
【０２２２】
図８は図５に示したグラフを基に導出したブロッキング性能の境界条件を示すグラフである。図８の横軸は溶剤粘度η１である。図８の縦軸は加熱期間ｔ１である。図８に示した曲線Ｇ８１は、図５に示したインクの主溶剤がプロピレングリコールの場合のデータ、及びインクの主溶剤がジプロピレングリコールの場合のデータを曲線補間して得られた近似曲線である。図９に示した曲線Ｇ９１、及び図１０に示した曲線Ｇ１０１も同様である。
【０２２３】
図８の曲線Ｇ８１を境界として区分される領域のうち、溶剤粘度η１が低い側であり、加熱期間ｔ１が長い側の領域は、目標のブロッキング性能を満たす領域である。一方、曲線Ｇ８１を境界として区分される領域のうち、溶剤粘度η１が高い側であり、加熱期間ｔ１が短い側の領域は、目標のブロッキング性能を満たしていない領域である。
【０２２４】
図８のブロッキングｇｏｏｄ領域は、目標のブロッキング性能を満たす領域を意味する。図９、及び図１０のブロッキングｇｏｏｄ領域も同様である。図８のブロッキングｂａｄ領域は、目標のブロッキング性能を満たしていない領域を意味する。図９、及び図１０のブロッキングｂａｄ領域も同様である。
【０２２５】
図８に図示した曲線Ｇ８１は、以下の式２を用いて表される。
【０２２６】
ｔ１＝２．２３５５×ｅ０．２０５６×η１  …式２
ここで、ｅは自然対数の底である。
上記の式２に示すように、加熱期間ｔ１は、溶剤粘度η１をパラメータとする関数として表される。以下の式３、及び式４についても同様である。上記の式２の決定係数Ｒ２は０．９８１１である。
【０２２７】
決定係数Ｒ２は近似式がどれほど当てはまっているかを表す指標であり、０以上１．０以下の値である。一般に決定係数Ｒ２が０．８以上の場合に近似式が非常によく当てはまっているといえる。上記の式２はＲ２＝０．９８１１であり、非常によく当てはまっているといえる。
【０２２８】
図８に示したブロッキングｇｏｏｄ領域は、ｔ１≧２．２３５５×ｅ０．２０５６×η１を満たす加熱期間ｔ１を含む領域である。
【０２２９】
図９は図６に示したグラフを基に導出したブロッキング性能の境界条件を示すグラフである。図９の横軸は溶剤粘度η２である。図９の縦軸は加熱期間ｔ２である。図９に図示した曲線Ｇ９１は、以下の式３を用いて表される。なお、以下の式３の決定係数Ｒ２は０．９８３７である。
【０２３０】
ｔ２＝０．５０９５×ｅ０．３０２８×η２  …式３
図９に示したブロッキングｇｏｏｄ領域は、ｔ２≧０．５０９５×ｅ０．３０２８×η２を満たす加熱期間ｔ２を含む領域である。
【０２３１】
図１０は図７に示したグラフを基に導出したブロッキング性能の境界条件を示すグラフである。図１０の横軸は溶剤粘度η３である。図１０の縦軸は加熱期間ｔ３である。図１０に図示した曲線Ｇ１０１は、以下の式４を用いて表される。なお、以下の式４の決定係数Ｒ２は０．９７１０である。
【０２３２】
ｔ３＝０．３５７８×ｅ０．２１１３×η３  …式４
図１０に示したブロッキングｇｏｏｄ領域は、ｔ３≧０．３５７８×ｅ０．２１１３×η３を満たす加熱期間ｔ３を含む領域である。
【０２３３】
図８から図１０に示したブロッキングｇｏｏｄ領域となるように、溶剤粘度η、及び加熱期間ｔが設定された場合、目標のブロッキング性能を満足することが可能である。また、溶剤粘度ηは、表５、表７、及び表９、並びに、表１１、表１３、及び表１５に示した溶剤粘度ηと加熱温度Ｔとの関係から導出可能である。
【０２３４】
すなわち、加熱温度Ｔ、及びインク溶剤の種類の情報を用いて溶剤粘度ηを導出する。以下の式５を用いて溶剤粘度ηに対応する加熱期間ｔを算出することが可能である。
【０２３５】
ｔ＝Ａ×ｅＢ×η  …式５
なお、上記の式５におけるＡ、及びＢは、溶剤粘度ηと加熱期間ｔとの関係を表す曲線を用いて決められる定数である。溶剤粘度ηと加熱期間ｔとの関係を表す曲線の例として、図８に示した曲線Ｇ８１が挙げられる。
【０２３６】
なお、上記の式５における溶剤粘度ηは、上記式１の溶剤粘度η１、上記式２の溶剤粘度η２、及び上記式３の溶剤粘度η３の総称である。上記式１の溶剤粘度η１、上記式２の溶剤粘度η２、及び上記式３の溶剤粘度η３は、溶剤粘度ηと置き換えてもよい。同様に、加熱期間ｔは、上記式１の加熱期間ｔ１、上記式２の加熱期間ｔ２、及び上記式３の加熱期間ｔ３の総称である。上記式１の加熱期間ｔ１、上記式２の加熱期間ｔ２、及び上記式３の加熱期間ｔ３は、加熱期間ｔと置き換えてもよい。
【０２３７】
本実施形態では、ニス塗布量を３．０グラム毎平方メートルとしたが、ニス塗布量は実用上のニス塗布量の範囲の任意の塗布量を適用可能である。例えば、ニスの塗布量が２．０グラム毎平方メートル以上、６．０グラム毎平方メートル以下の任意の値を適用可能である。
【０２３８】
その理由は、以下のとおりである。用紙へのインクの付与量と比較して、用紙へのニスの塗布量は極めて少量である。ニスの塗布量が上記の範囲で変動したとしても、インク溶剤の媒体への浸透を促進、又は阻害する要因にはなり得ない。
【０２３９】
したがって、本実施形態に示したニスの塗布量が３．０グラム毎平方メートルの場合のインク乾燥処理条件は、実用上のニスの塗布量の範囲である２．０グラム毎平方メートル以上６．０グラム毎平方メートル以下の範囲における、任意の塗布量にも適用可能と考えられる。なお、実用上のニスの塗布量の範囲は、ニスの種類等の条件に応じて適宜決め得る。
【０２４０】
同様に、処理液の塗布量は、実用上の塗布液の塗布量の範囲の任意の塗布量としても、インク溶剤の媒体への浸透を促進、又は阻害する要因にはなり得ないと考えられる。処理液の塗布量は１．５グラム毎平方メートルに限定されず、用紙の種類、インクの種類、及びインクの付与量等の画像形成条件において決められる範囲の任意の塗布量を適用してもよい。
【０２４１】
光沢増加分がプラス１０を超えプラス１５未満の場合は、光沢増加分がプラス１５の場合の式２を適用可能である。また、光沢増加分がプラス５を超えプラス１０未満の場合は、光沢増加分がプラス１０の場合の式３を適用可能である。更に、光沢増加分がプラス０を超えプラス５未満の場合は、光沢増加分がプラス５の場合の式４を適用可能である。
【０２４２】
もちろん、光沢増加分がプラス１０を超えプラス１５未満の各光沢値について、溶剤粘度ηをパラメータとする加熱期間ｔの関数を作成してもよい。光沢増加分がプラス０を超えプラス５未満の場合、及び光沢増加分がプラス５を超えプラス１０未満の場合も同様である。
【０２４３】
〈乾燥制御方法の作用効果〉
以上説明した乾燥制御方法によれば、インクを凝集させる処理液、及び水性インクを用いて画像が形成された用紙のインク乾燥処理において、水性ニスに含有する光沢向上剤の添加量の増加に応じて増加する光沢増加分の情報を取得し、光沢増加分に基づいて目標とするブロッキング性能を満たすように、溶剤粘度、及び加熱期間が決められる。
【０２４４】
これにより、光沢増加分の増加に応じて、予め定められている加熱温度の初期値よりも加熱温度を上昇させる処理、及び光沢増加分の増加に応じて、予め定められている加熱期間の初期値よりも加熱期間を長くする処理が可能となり、目標とする光沢値の実現、及び目標とするブロッキング性能の実現の両立が可能である。
【０２４５】
実現される光沢が異なる複数の光沢増加分について、溶剤粘度をパラメータとする加熱期間を表す関数を準備しておく。光沢増加分をインデックスとして、溶剤粘度をパラメータとする加熱期間を表す関数を選択し、選択した関数を用いて溶剤粘度に対応する加熱期間を導出し得る。関数に代わり、テーブルを準備してもよい。
【０２４６】
加熱温度の初期値は、光沢向上剤が非添加の場合の加熱温度としてもよい。また、加熱期間の初期値は、光沢向上剤が非添加の場合の加熱期間としてもよい。加熱温度の初期値、及び加熱期間の初期値は、ニスの種類、及びインクの種類などの条件に応じて変更してもよい。
【０２４７】
本実施形態では、インクを乾燥させるプロセスと、ニスを乾燥させるプロセスとを分離している。インク、及びニスを一括して乾燥させるプロセスは、ニスにインク溶剤が多量に浸透し、集積部におけるブロッキング性能が顕著に悪化する懸念がある。更に、ニスの塗布量を増加した場合、ニスの乾燥強度を強めることになる。そうすると、集積部の温度が高温度化し、更なるブロッキング性能の悪化が懸念される。
【０２４８】
インクを乾燥させるプロセスと、ニスを乾燥させるプロセスとを分離させる場合、ニスへのインク溶剤の浸透の抑制に起因してブロッキング性能の悪化が抑制される。また、集積部の温度の高温度化が抑制される。
【０２４９】
［乾燥制御方法を実現するハードウェア構成の構成例］
図１１は図１に示したインクジェット印刷装置における乾燥制御方法を実現するハードウェア構成の構成例を示すブロック図である。図１に示したインクジェット印刷装置１は、印刷装置本体１Ａと、制御装置１００とを含む印刷システムである。
【０２５０】
印刷装置本体１Ａは、図１で説明したインクジェット印刷装置１の機械構造体を指す。印刷装置本体１Ａは、用紙Ｐの搬送部５、給紙部１０、画像形成部４０、インク乾燥部５０、ニス塗布部６０、及び集積部８０を含む。
【０２５１】
図１１に示した搬送部５は、給紙部１０から集積部８０に至るインクジェット印刷装置１の全体としての用紙Ｐの搬送経路を構成する搬送機構を指す。搬送部５は、図１に示したフィーダーボード１２、給紙ドラム１３、処理液塗布ドラム２１、処理液乾燥ドラム３１、画像形成ドラム４１、第一チェーンデリバリー５１、ニス塗布ドラム６１、及び第二チェーンデリバリー７１を含む。なお、図１１では記載が省略されているが、印刷装置本体１Ａは、図１に示した処理液塗布部２０、処理液乾燥部３０、インク乾燥部５０、ニス後処理部７０、及びパウダー噴霧部９６を含む。
【０２５２】
制御装置１００は、インクジェット印刷装置１の全体の動作を制御する。制御装置１００は、コンピューターのハードウェア、及びソフトウェアの組み合わせによって実現することができる。制御装置１００は、一台、又は複数台のコンピューターを用いて実現することが可能である。
【０２５３】
制御装置１００は、ニス情報取得部１０２と、インク情報取得部１０４と、印刷情報取得部１０６と、インク乾燥条件導出部１０８と、テーブル記憶部１１０と、インク乾燥制御部２１５とを備える。
【０２５４】
ニス情報取得部１０２は、光沢増加分の情報を含むニスに関する情報を取得する。ニス情報取得部１０２は、オペレータが入力した光沢増加分の情報を取得してもよいし、光沢値を測定した測定結果に基づく光沢増加分の情報を取得してもよい。
【０２５５】
インク情報取得部１０４は、溶剤粘度の情報を取得する。インク情報取得部１０４は、オペレータが入力した溶剤粘度の情報を取得してもよいし、粘度計を用いて溶剤粘度を測定した測定値を取得してもよい。
【０２５６】
インク情報取得部１０４は、溶剤粘度とインク乾燥処理における加熱温度との関係を表すテーブルから、加熱温度をインデックスとして溶剤粘度を読み出してもよい。溶剤粘度とインク乾燥処理における加熱温度との関係を表すテーブルの一例として表５、及び表７等に示した溶剤粘度とインク乾燥処理における加熱温度との関係が挙げられる。溶剤の種類ごとに、溶剤粘度とインク乾燥処理における加熱温度との関係を表すテーブルを複数備えてもよい。溶剤の種類はインクの種類と読み替えてもよい。
【０２５７】
印刷情報取得部１０６は、一ジョブにおける印刷枚数の情報、及び印刷物の目標とする仕上がり光沢値の情報を取得する。印刷情報取得部１０６は、オペレータが入力した情報を取得してもよい。
【０２５８】
インク乾燥条件導出部１０８は、目標とする光沢、及び目標とするブロッキング性能に基づいて、インク乾燥条件を導出する。インク乾燥条件は、インク乾燥処理における加熱温度の情報、及び加熱期間の情報が含まれる。
【０２５９】
テーブル記憶部１１０は、テーブル１１４のデータを記憶しておく記憶装置である。テーブル１１４の例として、式２から式５を用いて表された溶剤粘度をパラメータとする加熱期間を表す関数が挙げられる。
【０２６０】
インク乾燥制御部２１５は、インク乾燥条件導出部１０８を用いて導出された加熱温度、及び加熱期間を用いて、インク乾燥部５０の動作を制御する。インク乾燥制御部２１５は、光沢向上剤が添加された定量ニスが使用される場合、光沢向上剤が非添加のニスが使用される場合よりも、乾燥温度を上昇させるか、及び加熱期間を長くするか、少なくともいずれかを行う。ニスの塗布量は、光沢向上剤の添加量を増加させた場合に、光沢向上剤の添加量の増加に応じて増加させずに一定量に保たれている。
【０２６１】
図１１に示した制御装置１００は、インク乾燥条件を制御する乾燥制御装置として構成し得る。すなわち、図１に示したインクジェット印刷装置１は、インク乾燥部５０の制御を行う乾燥制御装置を備え得る。
【０２６２】
［乾燥制御方法のフローチャート］
図１２は図１１に示した制御装置における処理の例を示すフローチャートである。図１２に示したフローチャートは、図１１に示したインク乾燥部５０におけるインク乾燥処理条件を設定する手順を示している。
【０２６３】
ニス情報取得工程Ｓ１０において、図１１に示したニス情報取得部１０２は、光沢増加分の情報を含むニス情報を取得する。ニス情報取得部１０２を用いて取得したニス情報は、ニス情報取得部１０２からインク乾燥条件導出部１０８へ送信される。
【０２６４】
図１２のインク情報取得工程Ｓ１２において、図１１に示したインク情報取得部１０４は、溶剤粘度の情報を含むインク情報を取得する。インク情報取得部１０４を用いて取得されたインク情報は、インク情報取得部１０４からインク乾燥条件導出部１０８へ送信される。
【０２６５】
図１２の印刷情報取得工程Ｓ１４において、図１１に示した印刷情報取得部１０６は、一ジョブにおける印刷枚数の情報を含む印刷情報を取得する。印刷情報取得部１０６を用いて取得された印刷情報は、印刷情報取得部１０６からインク乾燥条件導出部１０８へ送信される。
【０２６６】
図１２のインク乾燥条件導出工程Ｓ１６において、図１１に示したインク乾燥条件導出部１０８は、光沢増加分の情報、溶剤粘度の情報、及び１ジョブにおける印刷枚数の条件を用いて、目標とするブロッキング性能を満たすインク乾燥処理における加熱温度、及びインク乾燥処理における加熱期間を導出する。
【０２６７】
図１２のインク乾燥条件導出工程Ｓ１６において導出されたインク乾燥条件は、図１１に示したインク乾燥制御部２１５を用いたインク乾燥制御におけるパラメータとして設定される。
【０２６８】
インク乾燥条件導出部１０８は、予め定められた加熱温度の初期値、及び加熱期間の初期値を、新たに導出された加熱温度、及び加熱期間に更新する。インク乾燥部５０は、更新された加熱温度、及び加熱期間に基づいて、インク乾燥処理を実行し得る。
【０２６９】
［インク乾燥条件の変更］
〈印刷枚数、仕上がり光沢に応じたインク乾燥条件の変更〉
表１７には、１２種類の水準における光沢増加分、加熱温度、溶剤粘度、加熱期間、光沢値、及びブロッキング性能のランクを示す。表１７における光沢値は処理液が付与されている用紙にニスを塗布して測定した光沢値である。表１７のブロッキング性能ランクは、表４に示したブロッキング性能ランクに相当する。
【０２７０】
表１７における光沢値は処理液が付与された用紙に、ニスを塗布して測定した光沢値である。処理液とニスとの凝集に起因して、処理液を付与した場合は処理液を非付与の場合よりも光沢値が低下する。例えば、光沢増加分がプラス５の場合、処理液を非付与の場合の光沢値が６０に対して、処理液が付与された場合の光沢値は３３に減少する。
【０２７１】
【表１７】
2018221130.tif 000019
【０２７２】
表１８には、仕上がり白地光沢の目標値、及び印刷枚数に応じたブロッキング性能の判定結果を示す。表１８の水準は、表１７の水準に相当する。仕上がり白地光沢の目標値は、処理液を塗布した用紙の白地における光沢値の目標値を意味する。
【０２７３】
【表１８】
2018221130.tif 000020
【０２７４】
上記の表１８における＋は、仕上がり白地光沢の目標値を満たし、かつ、目標とするブロッキング性能を満たす場合を表している。表１８における−は、仕上がり白地光沢の目標値を満たしていないか、又は目標のブロッキング性能を満たしていない場合を表している。
【０２７５】
表１８における仕上がり光沢の目標値が３０の場合は、表１７に示すように光沢増加分をプラス５とすればよい。また、表１８における仕上がり光沢の目標値が５５の場合、表１７に示すように光沢増加分をプラス１５とすればよい。
【０２７６】
ユーザが求める光沢感、及び一ジョブにおける印刷枚数は、ユーザの要求に応じて異なる。ここでいうユーザが求める光沢感は、目標とする光沢を意味する。省エネルギーの観点から、印刷装置に求められる性能に応じたインク乾燥条件を設定することが好ましい。
【０２７７】
例えば、目標の仕上がり光沢を示す光沢値が５５であり、印刷枚数が１００枚の条件の場合、表１７に示した水準３のインク乾燥条件である、加熱温度Ｔが７７℃、加熱期間が２秒は適切なインク乾燥条件である。目標の仕上がり光沢を示す光沢値は目標の仕上がり光沢値に相当する。
【０２７８】
目標の仕上がり光沢を示す光沢値が５５であり、印刷枚数が１００枚の条件の場合、表１７の水準２のインク乾燥条件である、加熱温度Ｔが７３℃、加熱期間が２秒では、乾燥性能が不足する。一方、表１７の水準１２のインク乾燥条件である、加熱温度Ｔが１００℃、加熱期間が６秒は、印刷枚数が２０００枚の場合に対応し得るので、乾燥性能が過剰である。
【０２７９】
そこで、一ジョブの印刷枚数が、予め定められたブロッキング性能を表す到達枚数未満の場合は、加熱温度の低温度化、又は加熱期間の短縮化、若しくは、加熱温度の低温度化、及び加熱期間の短縮化が可能である。加熱温度の低温度化は溶剤粘度の高粘度化と同義である。
【０２８０】
仕上がり光沢の緩和に応じて、加熱温度の低温度化、又は加熱期間の短縮、若しくは、加熱温度の低温度化、及び加熱期間の短縮が可能である。例えば、水準１である、加熱温度Ｔが７３℃、加熱期間が２秒は、仕上がり白地光沢の目標値が５５の場合は、印刷枚数が１００枚であるが、仕上がり白地光沢の目標値を３０に緩和した場合、印刷枚数は１０００枚となる。
【０２８１】
〈パウダー噴霧〉
ニスの塗布後に、用紙のニス塗布面にパウダーを噴霧する場合、ブロッキング性能は大幅に改善される。
【０２８２】
表１９には、パウダーを噴霧した場合の実験結果を示す。表１９を導出した実験は、表５、表７に示した実験結果を導出した実験と同様である。パウダーの噴霧量は一枚の用紙あたり０．０３グラムである。
【０２８３】
【表１９】
2018221130.tif 000021
【０２８４】
表２０には、パウダーの噴霧量が一枚の用紙あたり０．０６グラムの場合の実験結果を示す。
【０２８５】
【表２０】
2018221130.tif 000022
【０２８６】
表１９、及び表２０に示すように、パウダーの噴霧量が多いほど、溶剤粘度が高い側、又は加熱期間が短い側に、目標とするブロッキング性能を満足する加熱条件が広がっている。
【０２８７】
すなわち、パウダーの噴霧量に応じて、加熱温度の低温度化、又は加熱期間の短縮化、若しくは、加熱温度の低温度化、及び加熱期間の短縮化が可能である。パウダーの噴霧量は、パウダーの非噴霧を表す、用紙一枚あたりのパウダーの噴霧量が０グラムの場合が含まれる。
【０２８８】
［変形例の作用効果］
変形例に係る乾燥処理方法によれば、一ジョブの印刷枚数、仕上がり光沢の目標値の緩和、及びパウダーの噴霧量の少なくともいずれかに応じて、加熱温度の降下、又は加熱期間の短縮、若しくは、溶剤粘度の低粘度化、及び加熱期間の短縮が可能である。
【０２８９】
インク乾燥条件導出部１０８は、インク乾燥部５０の条件に応じて決められた加熱温度からインク粘度を導出し、導出されたインク粘度からインク乾燥部５０の加熱期間を導出してもよい。インク乾燥部５０の条件の例として、インク乾燥部５０の乾燥能力が挙げられる。
【０２９０】
例えば、インク乾燥部５０の乾燥能力として加熱温度の上限値が決められている場合、又は加熱温度が固定されている場合、加熱温度からインク粘度を導出してもよい。そして、導出されたインク粘度から加熱期間を導出してもよい。
【０２９１】
また、インク乾燥部５０の乾燥能力として加熱期間の上限値が決められている場合、又は加熱期間が固定されている場合、加熱期間からインク粘度を導出してもよい。そして、導出されたインク粘度から加熱温度を導出してもよい。
【０２９２】
［インクジェット印刷装置の制御系］
図１３はインクジェット印刷装置の制御系の概略構成を示すブロック図である。制御装置１００は、ＣＰＵ、ＲＡＭ、及びＲＯＭ等を備える。制御装置１００には、通信部２０１、操作部２０２、表示部２０３、及び記憶部２０４が接続されている。
【０２９３】
なお、ＣＰＵは、中央処理装置を表す英語表記Ｃｅｎｔｒａｌ  Ｐｒｏｃｅｓｓｉｎｇ  Ｕｎｉｔの省略語である。ＲＡＭは、Ｒａｎｄｏｍ  Ａｃｃｅｓｓ  Ｍｅｍｏｒｙの省略語である。ＲＯＭは、Ｒｅａｄ  Ｏｎｌｙ  Ｍｅｍｏｒｙの省略語である。
【０２９４】
通信部２０１は、図示せぬホストコンピュータ等の外部機器との間でデータの送受信を行う。通信部２０１は、公知の通信インターフェースを含んで構成される。操作部２０２は、操作ボタン、キーボード、マウス、及びタッチパネル等の操作部材、若しくは音声入力装置を含んで構成される。
【０２９５】
操作部２０２は、操作部材の適宜の組み合わせからなる入力装置を含んでいてもよい。操作部２０２は、操作部材、及び音声入力装置の適宜の組み合わせからなる入力装置を含んでいてもよい。制御装置１００は、操作部２０２から入力された情報に応じて各種処理を実行する。
【０２９６】
表示部２０３は、液晶パネル等の表示装置を含んで構成される。表示部２０３は、制御装置１００からの指令に応じて、インクジェット印刷装置の各種設定情報、又は異常情報などの各種情報を表示し得る。表示装置はディスプレイと呼ばれる装置が含まれてもよい。
【０２９７】
操作部２０２と表示部２０３とによってユーザインターフェースが構成される。ユーザは、表示部２０３の画面に表示される内容を見ながら操作部２０２を使って各種パラメータの設定、及び各種情報の入力、並びに編集が可能である。
【０２９８】
図１３に示した記憶部２０４は、ハードディスク装置等の記憶デバイスを含んで構成される。制御装置１００のＣＰＵが実行するプログラムや、制御に必要な各種データは、ＲＯＭ、及び記憶部２０４の少なくともいずれか一方に格納される。
【０２９９】
図１４は図１３に示した制御装置が実現する機能のブロック図である。図１４に示した制御装置１００は、搬送制御部２１０、給紙制御部２１１、処理液塗布制御部２１２、処理液乾燥制御部２１３、画像形成制御部２１４、インク乾燥制御部２１５、ニス塗布制御部２１６、ニス後処理制御部２１７、集積制御部２１８、パウダー噴霧制御部２１９、通信制御部２２０として機能する。
【０３００】
搬送制御部２１０は、搬送部５を制御して、用紙Ｐの搬送を制御する。搬送制御部２１０は、給紙部１０から給紙される用紙Ｐが一定の速度で搬送されるように、各部に備えられた搬送手段の駆動を制御する。
【０３０１】
給紙制御部２１１は、給紙部１０を制御して、用紙Ｐの給紙を制御する。給紙制御部２１１は、給紙台にセットされた用紙Ｐが一定の給紙期間間隔で順次給紙されるように、給紙部１０の構成要素の駆動を制御する。
【０３０２】
処理液塗布制御部２１２は、処理液塗布部２０を制御して、用紙Ｐへの処理液の塗布を制御する。処理液塗布制御部２１２は、搬送される用紙Ｐに所定の厚さで処理液が塗布されるように、処理液塗布部２０の構成要素の駆動を制御する。
【０３０３】
処理液乾燥制御部２１３は、処理液乾燥部３０を制御して、用紙Ｐに塗布された処理液の乾燥を制御する。処理液乾燥制御部２１３は、用紙Ｐに塗布された処理液が乾燥するように、処理液乾燥部３０の構成要素の駆動を制御する。
【０３０４】
画像形成制御部２１４は、画像形成部４０を制御して、用紙Ｐに対する画像の形成を制御する。画像形成制御部２１４は、搬送される用紙Ｐに、画像が形成されるように、画像形成部４０の構成要素の駆動を制御する。
【０３０５】
インク乾燥制御部２１５は、インク乾燥部５０を制御して、インクの乾燥を制御する。インク乾燥制御部２１５は、画像形成部４０によって用紙Ｐに付与されたインクが乾燥するように、インク乾燥部５０の構成要素の駆動を制御する。
【０３０６】
ニス塗布制御部２１６は、ニス塗布部６０を制御して、画像形成後の用紙Ｐへのニスの塗布を制御する。ニスコートを実施する場合、ニス塗布制御部２１６は、用紙Ｐに一定の厚さでニスが塗布されるように、ニス塗布部６０の構成要素の駆動を制御する。
【０３０７】
ニス後処理制御部２１７は、ニス後処理部７０を制御して、用紙Ｐに塗布されたニスの後処理を制御する。ニス後処理制御部２１７は、ニスコートに使用したニスの種類に応じた処理が行われるように、ニス後処理部７０の構成要素の駆動を制御する。
【０３０８】
集積制御部２１８は、集積部８０を制御して、用紙Ｐの集積を制御する。集積制御部２１８は、順次排紙される用紙Ｐが束状に集積されるように、集積部８０の構成要素の駆動を制御する。
【０３０９】
また、制御装置１００は、通信制御部２２０、画像処理部２３０、ニス情報取得部１０２、インク情報取得部１０４、印刷情報取得部１０６、インク乾燥条件導出部１０８、テーブル記憶部１１０、及び表示制御部２４２として機能する。
【０３１０】
通信制御部２２０は、図示せぬ外部機器との間の通信を制御する。画像処理部２３０は、印刷対象として取得した画像の画像データを処理して、インクジェット印刷装置１の画像形成部４０を用いて画像形成可能な画像形成用のデータである、各インク色のドット配置データに変換する。
【０３１１】
画像処理部２３０は、色変換処理、濃度補正処理、及びハーフトーン処理などの各種の信号処理を行う。画像形成の際には、画像処理部２３０によって生成されたドット配置データに基づいて、画像形成部４０におけるインクジェットヘッド４３Ｃ、インクジェットヘッド４３Ｍ、インクジェットヘッド４３Ｙ、及びインクジェットヘッド４３Ｋのインク吐出動作が制御される。
【０３１２】
図１４に示したニス情報取得部１０２、インク情報取得部１０４、印刷情報取得部１０６、インク乾燥条件導出部１０８、テーブル記憶部１１０、及びインク乾燥制御部２１５は、図１１に図示されており、既に説明がされているので、ここでの説明は省略する。
【０３１３】
インクジェット印刷装置１は、第一温度検出部５６を用いて検出された用紙Ｐの温度情報に基づき、インク乾燥部５０がフィードバック制御される。すなわち、第一温度検出部５６を用いて検出された用紙Ｐの温度情報は、インク乾燥制御部２１５へ送られる。インク乾燥制御部２１５は、第一温度検出部５６を介して取得した用紙Ｐの温度情報に基づきインク乾燥条件を変更する。インク乾燥条件の設定には、インク乾燥条件の初期設定、及び予め設定されているインク乾燥条件の変更が含まれる。
【０３１４】
ニス後処理条件設定部２３８は、使用するニスの種類、及びインクの種類に基づき、ニス後処理条件を設定する。ニス後処理制御部２１７は、ニス後処理条件設定部２３８を用いて設定されたニス後処理条件に基づきニス後処理部７０の動作を制御する。
【０３１５】
インクジェット印刷装置１は、第二温度検出部９４が用いて検出された用紙Ｐの温度情報に基づき、ニス後処理部７０がフィードバック制御される。すなわち、第二温度検出部９４を用いて検出された用紙Ｐの温度情報は、ニス後処理条件設定部２３８へ送られる。
【０３１６】
ニス後処理条件設定部２３８は、第二温度検出部９４を用いて検出された用紙Ｐの温度情報に基づきニス後処理条件を変更する。ニス後処理条件の設定には、ニス後処理条件の初期設定、及び予め設定されているニス後処理条件の変更が含まれる。
【０３１７】
テーブル記憶部１１０は、記憶部２０４の記憶領域の一部であってもよい。また、テーブル記憶部１１０は、ＲＡＭの記憶領域の一部であってもよい。
【０３１８】
表示制御部２４２は、表示部２０３の表示内容を制御する。表示制御部２４２は、表示部２０３に表示させるための表示用信号を生成し、生成した表示用信号を表示部２０３に供給する。
【０３１９】
図１１、及び図１４に示した制御装置１００の搬送制御部２１０、給紙制御部２１１、処理液塗布制御部２１２、処理液乾燥制御部２１３、画像形成制御部２１４、インク乾燥制御部２１５、ニス塗布制御部２１６、ニス後処理制御部２１７、集積制御部２１８、パウダー噴霧制御部２１９、通信制御部２２０、画像処理部２３０、ニス後処理条件設定部２３８、ニス情報取得部１０２、インク情報取得部１０４、印刷情報取得部１０６、インク乾燥条件導出部１０８、テーブル記憶部１１０、及び表示制御部２４２といった各種の処理を実行する処理部のハードウェア的な構造は、次に示すような各種のプロセッサである。
【０３２０】
なお、処理部は、英語表記を用いてｐｒｏｃｅｓｓｉｎｇ  ｕｎｉｔと表現されることがある。プロセッサは、英語表記を用いてｐｒｏｃｅｓｓｏｒと表現されることがある。
【０３２１】
各種のプロセッサには、プログラムを実行して各種の処理部として機能する汎用的なプロセッサであるＣＰＵ、ＦＰＧＡなどの製造後に回路構成を変更可能なプロセッサであるＰＬＤ、及びＡＳＩＣなどの特定の処理を実行させるために専用に設計された回路構成を有するプロセッサである専用電気回路などが含まれる。プログラムは、ソフトウェアと同義である。
【０３２２】
なお、ＦＰＧＡは、Ｆｉｅｌｄ  Ｐｒｏｇｒａｍｍａｂｌｅ  Ｇａｔｅ  Ａｒｒａｙの省略語である。ＰＬＤは、Ｐｒｏｇｒａｍｍａｂｌｅ  Ｌｏｇｉｃ  Ｄｅｖｉｃｅの省略語である。ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの省略語である。
【０３２３】
一つの処理部は、これら各種のプロセッサのうちの一つで構成されていてもよいし、同種又は異種の二つ以上のプロセッサで構成されてもよい。例えば、一つの処理部は、複数のＦＰＧＡ、或いは、ＣＰＵとＦＰＧＡとの組み合わせによって構成されてもよい。また、複数の処理部を一つのプロセッサで構成してもよい。複数の処理部を一つのプロセッサで構成する例としては、第一に、クライアントやサーバなどのコンピューターに代表されるように、一つ以上のＣＰＵとソフトウェアとの組み合わせで一つのプロセッサを構成し、このプロセッサが複数の処理部として機能する形態がある。第二に、ＳｏＣなどに代表されるように、複数の処理部を含むシステム全体の機能を一つのＩＣチップで実現するプロセッサを使用する形態がある。このように、各種の処理部は、ハードウェア的な構造として、上記各種のプロセッサを一つ以上用いて構成される。
【０３２４】
更に、これらの各種のプロセッサのハードウェア的な構造は、より具体的には、半導体素子などの回路素子を組み合わせた電気回路である。
【０３２５】
なお、ＳｏＣは、システムオンチップの英語表記Ｓｙｓｔｅｍ  Ｏｎ  Ｃｈｉｐの省略語である。ＩＣは、集積回路を表す英語表記Ｉｎｔｅｇｒａｔｅｄ  Ｃｉｒｃｕｉｔの省略語である。電気回路は英語表記を用いてｃｉｒｃｕｉｔｒｙと表現されることがある。
【０３２６】
［印刷プロセスの説明］
図１５はニスコートを実施する印刷の処理手順を示すフローチャートである。図１５に示すフローチャートは、図１２を用いて説明した乾燥制御方法のインク乾燥処理条件が設定された後に開始される印刷処理の手順である。
【０３２７】
印刷が開始される。給紙工程Ｓ２１において、図１３に示した給紙部１０から給紙が開始される。給紙部１０から給紙された用紙Ｐは、図１５の処理液塗布工程Ｓ２２において、図１３に示した処理液塗布部２０を用いて、第一面に処理液が塗布される。処理液塗布工程Ｓ２２は処理液付与工程の一例である。
【０３２８】
処理液が塗布された用紙Ｐは、図１５の処理液乾燥工程Ｓ２３において、図１３に示した処理液乾燥部３０を用いて第一面が加熱されて、処理液が加熱乾燥される。図１５の処理液乾燥工程Ｓ２３を経た用紙Ｐは、画像形成工程Ｓ２４において、図１３に示した画像形成部４０を用いて第一面にインクが打滴されて、画像が形成される。
【０３２９】
画像形成後の用紙Ｐは、図１５のインク乾燥工程Ｓ２５において、図１３に示したインク乾燥部５０を用いて画像表面が加熱されて、インクが加熱乾燥される。図１５のインク乾燥工程Ｓ２５を経た用紙Ｐは、ニス塗布工程Ｓ２６において、図１３に示したニス塗布部６０を用いて画像表面にニスが塗布される。ニス塗布工程Ｓ２６はニス付与工程の一例である。
【０３３０】
ニスが塗布された用紙Ｐは、図１５のニス後処理工程Ｓ２７において、図１３に示したニス後処理部７０を用いてニスの加熱乾燥処理を含むニスの後処理が行われる。後処理の内容は、使用するニスの種類に応じて適宜選択される。ニス後処理された用紙Ｐは、図１５の排紙工程Ｓ２８において、排紙位置で排紙され、集積工程Ｓ２９において、図１３に示した集積部８０に集積される。
【０３３１】
［インクジェットヘッドの吐出方式について］
インクジェットヘッドのイジェクタは、液体を吐出するノズルと、ノズルに通じる圧力室と、圧力室内の液体に吐出エネルギーを与える吐出エネルギー発生素子と、を含んで構成される。イジェクタのノズルから液滴を吐出させる吐出方式に関して、吐出エネルギーを発生させる手段は、圧電素子に限らず、発熱素子や静電アクチュエータなど、様々な吐出エネルギー発生素子を適用し得る。
【０３３２】
例えば、発熱素子による液体の加熱による膜沸騰の圧力を利用して液滴を吐出させる方式を採用することができる。インクジェットヘッドの吐出方式に応じて、相応の吐出エネルギー発生素子が流路構造体に設けられる。
【０３３３】
［印刷装置の変形例］
図１では、印刷装置の一例としてインクジェット印刷装置を説明したが、本実施形態に示した乾燥制御方法、及び乾燥制御装置はインクジェット印刷装置に限らず、オフセット印刷装置、グラビア印刷装置、フレキソ印刷装置、スクリーン印刷装置、又は電子写真装置など、様々な印刷方式の印刷装置に適用することができる。
【０３３４】
図１では、インライン方式でニスコートを行うインクジェット印刷装置を示したが、本実施形態に示した乾燥制御方法、及び乾燥制御装置は、オンライン方式のニスコートを行う印刷システムについても適用することができる。オンライン方式のニスコートとは、印刷装置を用いた画像形成の処理と、ニスコート装置を用いたニスコートの処理とを一連の処理として連続的に行う形態である。
【０３３５】
オンライン方式のニスコートは、例えば、ニスコートの機能を有していない印刷装置と、ニスコート装置とを組み合わせた印刷システムによって実施される。ニスコートの機能を有していない印刷装置は、画像形成後にニスコートを行わずに排紙する印刷装置である。ニスコート装置は、印刷装置と別体に構成されたニス塗布装置であってよい。
【０３３６】
ニスコートの機能を有していない印刷装置とニスコート装置とを直列的に接続した印刷システムは、オンライン方式のニスコートを実施することができる。印刷システムは、印刷装置から排紙された画像形成後の用紙をニスコート装置の給紙部へと自動的に移送するためのベルトコンベアなどの用紙移送装置を含んでいてもよい。
【０３３７】
オンライン方式のニスコートは、画像形成の処理とニスコートの処理とが連続して行われる点でインライン方式のニスコートと共通するが、画像形成の処理とニスコートの処理とが別々の装置を用いて実施される点で相違する。そして、この相違により、ニスコートまでの時間間隔がインライン方式ニスコートよりも長くなる傾向がある。
【０３３８】
また、オンライン方式のニスコートは、印刷装置から排紙される用紙が、そのままニスコート装置に給紙されるため、画像形成後の用紙がニスコート前に集積されない、という点でオフライン方式のニスコートと相違する。
【０３３９】
オンライン方式のニスコートを行う印刷システムの場合、ニスコート装置の排紙部が集積部に相当する。オンライン方式のニスコートを行う印刷システムは、印刷装置の一形態となり得る。
【０３４０】
〈変形例１〉
上記の実施形態では、シングルパス方式のインクジェット印刷装置を説明したが、例えば、短尺のインクジェットヘッドを往復走査させて画像を形成するマルチスキャン方式のインクジェット印刷装置とすることもできる。
【０３４１】
〈変形例２〉
上記の実施形態では、いわゆるロールコーターによって用紙にニスを塗布する構成としているが、ニス塗布部の構成は、これに限定されるものではない。例えば、チャンバーコーター等のニスコーターを用いて、用紙にニスを塗布する構成とすることもできる。
【０３４２】
〈変形例３〉
上記の実施形態では、処理液を用いるインクジェット印刷装置を説明したが、処理液を使用しない印刷装置とすることもできる。
【０３４３】
［媒体について］
用紙は、画像の形成に用いられる媒体の一例である。用紙という用語は、記録用紙、印刷用紙、印刷媒体、印字媒体、被印刷媒体、画像形成媒体、被画像形成媒体、受像媒体、及び被吐出媒体など様々な用語で呼ばれるものの総称として理解することができる。媒体の材質や形状等は、特に限定されず、シール用紙、樹脂シート、フィルム、布、不織布、及びその他材質や形状を問わず、様々なシート体を用いることができる。
【０３４４】
用紙は、枚葉の媒体に限らず、連続紙などの連続媒体であってもよい。本実施形態に示したインクジェット印刷装置の場合、集積部にスタックされる段階で、一枚ずつ分離された枚葉の媒体となっていればよく、連続媒体から規定のサイズにカットしてから給紙する形態、若しくは、画像形成後に規定のサイズにカットして排紙する形態などであってもよい。
【０３４５】
［用語について］
印刷装置という用語は、印刷機、プリンタ、印字装置、画像記録装置、画像形成装置、画像出力装置、或いは、描画装置などの用語の概念を含む。また、印刷装置という用語は、複数の装置を組み合わせた印刷システムの概念を含む。
【０３４６】
画像は広義に解釈するものとし、カラー画像、白黒画像、単一色画像、グラデーション画像、及び均一濃度画像なども含まれる。均一濃度画像はべた画像と呼ばれることがある。画像は、写真画像に限らず、図柄、文字、記号、線画、モザイクパターン、色の塗り分け模様、及びその他の各種パターン、若しくはこれらの適宜の組み合わせを含む包括的な用語として用いる。
【０３４７】
印刷という用語は、画像の形成、画像の記録、印字、描画、及びプリントなどの用語の概念を含む。また、印刷という用語は、画像形成後に実施されるニスコートなどの後処理を含んだ概念の用語として用いる場合がある。
【０３４８】
本明細書における直交、又は垂直という用語には、９０°未満の角度、又は９０°を超える角度をなして交差する態様のうち、実質的に９０°の角度をなして交差する場合と同様の作用効果を発生させる態様が含まれる。
【０３４９】
本明細書における平行という用語には、厳密には非平行である態様のうち、平行である場合と概ね同様の作用効果が得られる実質的に平行とみなし得る態様が含まれる。
【０３５０】
本明細書における同一という用語は、厳密には相違する態様のうち、同一と概ね同様の作用効果が得られる実質的な同一とみなし得る態様が含まれる。
【０３５１】
［実施形態及び変形例等の組み合わせについて］
上述の実施形態で説明した構成や変形例で説明した事項は、適宜組み合わせて用いることができ、また、一部の事項を置き換えることもできる。
【０３５２】
以上説明した本発明の実施形態は、本発明の趣旨を逸脱しない範囲で、適宜構成要件を変更、追加、削除することが可能である。本発明は以上説明した実施形態に限定されるものではなく、本発明の技術的思想内で当該分野の通常の知識を有する者により、多くの変形が可能である。
【符号の説明】
【０３５３】
１  インクジェット印刷装置
１Ａ  印刷装置本体
５  搬送部
１０  給紙部
１１  給紙装置
１２  フィーダーボード
１３  給紙ドラム
２０  処理液塗布部
２１  処理液塗布ドラム
２２  処理液塗布装置
３０  処理液乾燥部
３１  処理液乾燥ドラム
３２  第一用紙ガイド
３３  ドライヤー
４０  画像形成部
４１  画像形成ドラム
４２  用紙押さえローラー
４３Ｃ、４３Ｍ、４３Ｙ、４３Ｋ  インクジェットヘッド
４４  スキャナー
５０  インク乾燥部
５１  第一チェーンデリバリー
５２  第二用紙ガイド
５３  第一加熱装置
５６  第一温度検出部
６０  ニス塗布部
６１  ニス塗布ドラム
７０  ニス後処理部
７０Ａ  第二加熱装置
７１  第二チェーンデリバリー
７２  第三用紙ガイド
８０  集積部
８１  集積装置
９０  ニスコーター
９４  第二温度検出部
９６  パウダー噴霧部
１００  制御装置
１０２  ニス情報取得部
１０４  インク情報取得部
１０６  印刷情報取得部
１０８  インク乾燥条件導出部
１１０  テーブル記憶部
１１４  テーブル
２０１  通信部
２０２  操作部
２０３  表示部
２０４  記憶部
２１０  搬送制御部
２１１  給紙制御部
２１２  処理液塗布制御部
２１３  処理液乾燥制御部
２１４  画像形成制御部
２１５  インク乾燥制御部
２１６  ニス塗布制御部
２１７  ニス後処理制御部
２１８  集積制御部
２１９  パウダー噴霧制御部
２２０  通信制御部
２３０  画像処理部
２３８  ニス後処理条件設定部
２４２  表示制御部
Ｇ２１、Ｇ２２、Ｇ２３、Ｇ２４  データ
Ｇ３１、Ｇ４１、Ｇ４２、Ｇ５１、Ｇ５２、Ｇ６１、Ｇ６２、Ｇ７１、Ｇ７２、Ｇ８１、Ｇ９１、Ｇ１０１  曲線
Ｓ１０からＳ１６  乾燥制御方法の各工程
Ｓ２１からＳ２９  印刷方法の各工程
【図１】
2018221130.tif 000023
【図２】
2018221130.tif 000024
【図３】
2018221130.tif 000025
【図４】
2018221130.tif 000026
【図５】
2018221130.tif 000027
【図６】
2018221130.tif 000028
【図７】
2018221130.tif 000029
【図８】
2018221130.tif 000030
【図９】
2018221130.tif 000031
【図１０】
2018221130.tif 000032
【図１１】
2018221130.tif 000033
【図１２】
2018221130.tif 000034
【図１３】
2018221130.tif 000035
【図１４】
2018221130.tif 000036
【図１５】
2018221130.tif 000037
【国際調査報告】
2018221130.tif 000038
2018221130.tif 000039
2018221130.tif 000040